(57)【要約】【課題】無線装置間で使用しているＦＤＤ方式の無線伝送周波数帯のいずれか一方の周波数帯の品質が低下した場合であっても、双方向通信を確実に維持することが可能な無線通信システムを提供する。【解決手段】対向する２つの無線装置間の無線通信を行う複信方式として、上り、下り方向ごとで異なる２つの無線伝送周波数帯ｆ１、ｆ２を用いたＦＤＤ方式により双方向の無線通信を行う各無線装置内の無線処理部４は、２つの無線伝送周波数帯ｆ１、ｆ２のうち一方の周波数帯を用いたＴＤＤ方式により双方向の無線通信を行う無線通信機能をさらに備え、ＦＤＤ方式による双方向の無線通信を行っている際に、複信方式判定切替制御部１０１にて、一方の無線伝送周波数帯があらかじめ定めた低下閾値以下の通信品質に低下したことを検出した場合、複信方式を、良好な通信品質の他方の無線伝送周波数帯を用いたＴＤＤ方式に切り替えて、双方向の無線通信を維持する。【選択図】        図２
2013162376.tif 000002
【特許請求の範囲】
【請求項１】
対向する２つの無線装置間の無線通信を行う複信方式として、上り、下り方向それぞれで異なる２つの無線伝送周波数帯を用いたＦＤＤ（Frequency  Division  Duplex）方式によって双方向の無線通信を行う無線通信システムであって、各前記無線装置は、前記２つの無線伝送周波数帯のうち一方の無線伝送周波数帯を用いたＴＤＤ（Time  Division  Duplex）の複信方式によって双方向の無線通信を行う無線通信機能をさらに備え、ＦＤＤ方式による双方向の無線通信を行っている際に、前記２つの無線伝送周波数帯のうち、一方の無線伝送周波数帯の通信品質があらかじめ定めた低下閾値以下の値に低下した場合、良好な通信品質を維持している他方の無線伝送周波数帯を用いたＴＤＤ方式による複信方式に切り替えて、双方向の無線通信を維持することを特徴とする無線通信システム。
【請求項２】
前記低下閾値以下の値に通信品質が低下していた前記一方の無線伝送周波数帯の通信品質があらかじめ定めた回復閾値の値よりも良好な値にまで回復した場合、前記他方の無線伝送周波数帯を用いたＴＤＤ方式による複信方式から前記一方の無線伝送周波数帯および前記他方の無線伝送周波数帯の２つの無線伝送周波数帯を用いたＦＤＤ方式による複信方式に切り替えて、双方向の無線通信を維持することを特徴とする請求項１に記載の無線通信システム。
【請求項３】
ＦＤＤ方式による双方向の無線通信を行っている際に、相手側の無線装置から受信した受信無線処理信号の通信品質が前記低下閾値以下の値に低下したことを検出した無線装置は、ＦＤＤ方式からＴＤＤ方式への切り替えを指示する複信方式切替信号を含む無線処理信号を生成して、当該受信無線処理信号が使用していた前記一方の無線伝送周波数帯とは異なる前記他方の無線伝送周波数帯を用いたＦＤＤ方式によって、生成した前記無線通信信号を前記相手側の無線装置に対して送信した後、当該無線装置における複信方式をＦＤＤ方式からＴＤＤ方式の複信方式に切り替えることを特徴とする請求項１または２に記載の無線通信システム。
【請求項４】
前記複信方式切替信号を含む無線処理信号を、前記他方の無線伝送周波数帯を用いたＦＤＤ方式により受信した前記相手側の無線装置は、当該相手側の無線装置の複信方式をＦＤＤ方式からＴＤＤ方式へ切り替えるとともに、ＴＤＤ方式に切り替えた旨を示す信号を含む無線処理信号を生成して、生成した前記無線通信信号を、前記他方の無線伝送周波数帯を用いたＴＤＤ方式によって、前記複信方式切替信号を含む無線処理信号の送信元の前記無線装置に対して送信することを特徴とする請求項３に記載の無線通信システム。
【請求項５】
対向する相手側の対向無線装置と無線通信を行う複信方式として、上り、下り方向それぞれで異なる２つの無線伝送周波数帯を用いたＦＤＤ（Frequency  Division  Duplex）方式によって双方向の無線通信を行う無線装置であって、前記２つの無線伝送周波数帯のうち一方の無線伝送周波数帯を用いたＴＤＤ（Time  Division  Duplex）の複信方式によって双方向の無線通信を行う無線通信機能をさらに備え、ＦＤＤ方式による双方向の無線通信を行っている際に、前記２つの無線伝送周波数帯のうち、一方の無線伝送周波数帯の通信品質があらかじめ定めた低下閾値以下の値に低下したことを検出した場合、良好な通信品質を維持している他方の無線伝送周波数帯を用いたＴＤＤ方式による複信方式に切り替えて、双方向の無線通信を維持することを特徴とする無線装置。
【請求項６】
前記低下閾値以下の値に通信品質が低下していた前記一方の無線伝送周波数帯の通信品質があらかじめ定めた回復閾値の値よりも良好な値にまで回復した場合、前記他方の無線伝送周波数帯を用いたＴＤＤ方式による複信方式から前記一方の無線伝送周波数帯および前記他方の無線伝送周波数帯の２つの無線伝送周波数帯を用いたＦＤＤ方式による複信方式に切り替えて、双方向の無線通信を維持することを特徴とする請求項５に記載の無線装置。
【請求項７】
対向する相手側の対向無線装置と無線通信を行う複信方式として、上り、下り方向それぞれで異なる２つの無線伝送周波数帯を用いたＦＤＤ（Frequency  Division  Duplex）方式によって双方向の無線通信を行う無線装置における無線通信方法であって、前記２つの無線伝送周波数帯のうち一方の無線伝送周波数帯を用いたＴＤＤ（Time  Division  Duplex）の複信方式によって双方向の無線通信を行う無線通信機能をさらに有し、ＦＤＤ方式による双方向の無線通信を行っている際に、前記２つの無線伝送周波数帯のうち、一方の無線伝送周波数帯の通信品質があらかじめ定めた低下閾値以下の値に低下したことを検出した場合、良好な通信品質を維持している他方の無線伝送周波数帯を用いたＴＤＤ方式による複信方式に切り替えて、双方向の無線通信を維持することを特徴とする無線通信方法。
【請求項８】
前記低下閾値以下の値に通信品質が低下していた前記一方の無線伝送周波数帯の通信品質があらかじめ定めた回復閾値の値よりも良好な値にまで回復した場合、前記他方の無線伝送周波数帯を用いたＴＤＤ方式による複信方式から前記一方の無線伝送周波数帯および前記他方の無線伝送周波数帯の２つの無線伝送周波数帯を用いたＦＤＤ方式による複信方式に切り替えて、双方向の無線通信を維持することを特徴とする請求項７に記載の無線通信方法。
【請求項９】
請求項７または８に記載の無線通信方法の少なくとも一部をコンピュータによって実行可能なプログラムとして実施していることを特徴とする無線通信プログラム。
【発明の詳細な説明】
【技術分野】
【０００１】
本発明は、無線通信システム、無線装置、無線通信方法および無線通信プログラムに関する。
【背景技術】
【０００２】
従来の無線通信システムにおいては、無線装置間の通信方式である複信の方法として、主に、ＦＤＤ（Frequency  Division  Duplex：周波数分割複信）方式とＴＤＤ（Time  Division  Duplex：時分割複信）方式とが使用されている。ＦＤＤ方式は、通信経路の無線伝送周波数帯を半分に分割して、送信と受信とを同時に行うことによって双方向通信を実現する方式である。一方のＴＤＤ方式は、通信経路を時間軸で細かく区分し、送信と受信とを高速に切り替えることによって双方向通信を実現する方式である。
【０００３】
ＦＤＤ方式は、上りと下りとの通信を別々の無線伝送周波数帯で通信しているので、上りと下りとの通信が衝突することは無い。一方、ＴＤＤ方式は、上りと下りとの通信を同一の無線伝送周波数帯で通信していて、上りと下りとの通信を時間で区切っているだけであるので、上りと下りとの通信が衝突する可能性がある。また、ＴＤＤ方式は、上りと下りとの通信を時間で区切っているので、上りと下りとの通信の間に待ち時間を設ける必要があり、無線伝送周波数帯域当たりの利用効率がＦＤＤ方式の場合に比して低下してしまう。このため、無線通信システムにおいては、ＦＤＤ方式が採用されることが多い。
【０００４】
しかしながら、複信方式がＦＤＤ方式の場合の無線通信システムにおいては、次のような課題がある。
【０００５】
第１の課題は、上りと下りとの通信を無線伝送周波数帯で区切っているので、いずれかの方向の無線伝送周波数帯が干渉などにより使用できなくなってしまうと、上り方向もしくは下り方向のいずれかの方向の通信ができなくなってしまい、双方向通信ができない状態に陥ってしまうということである。つまり、上りと下りとのいずれか片方の無線伝送周波数帯に干渉などが発生すると、その無線伝送周波数帯での通信ができなくなる。上り方向もしくは下り方向のいずれか片方の通信ができなくなると、双方向通信ができない状態に陥る。双方向通信ができない状態に陥ると、例えば、電話などの双方向通信が必須の通信形態の場合、通信サービスを維持することができなくなってしまう。
【０００６】
第２の課題は、前記第１の課題のように、双方向通信ができなくなってしまうと、片方向での通信しかできなくなってしまうため、対向する相手側の無線装置の状態が判別不能になってしまうということである。
【０００７】
なお、ＦＤＤ方式における無線通信回線の品質低下による通信速度の低下を防ぐために、特許文献１の特開２００３−２２９７８４号公報「無線アクセスシステム」のように、ＦＤＤ方式とＴＤＤ方式との双方の複信方式を使用することを可能にし、ＦＤＤ方式において無線通信の品質が低下した場合には、無線通信の複信方式をＴＤＤ方式に切り替えることにより、無線通信の通信速度を向上させようとする提案がなされている。
【０００８】
しかし、該特許文献１においては、複信方式の切替制御を、制御前に使用していた複信方式に基づいて実行するため、例えば、複信方式がＦＤＤ方式の状態にあった際に、上り、下りの一方の方向の無線伝送周波数帯に伝送品質の低下が発生した場合には、対向の無線装置に対して、複信方式の切替制御を確実に実行させることが不可能になってしまうという問題がある。
【先行技術文献】
【特許文献】
【０００９】
【特許文献１】特開２００３−２２９７８４号公報（第７−１０頁）
【発明の開示】
【発明が解決しようとする課題】
【００１０】
本発明は、前述のような無線通信システムの問題点に鑑みてなされたものであり、無線装置間で使用しているＦＤＤ方式の無線伝送周波数帯のいずれか一方の周波数帯の品質低下が発生した場合であっても、双方向通信を確実に維持することが可能な無線通信システム、無線装置、無線通信方法および無線通信プログラムを提供することを、その目的としている。
【課題を解決するための手段】
【００１１】
前述の課題を解決するため、本発明による無線通信システム、無線装置、無線通信方法および無線通信プログラムは、主に、次のような特徴的な構成を採用している。
【００１２】
（１）本発明による無線通信システムは、対向する２つの無線装置間の無線通信を行う複信方式として、上り、下り方向それぞれで異なる２つの無線伝送周波数帯を用いたＦＤＤ（Frequency  Division  Duplex）方式によって双方向の無線通信を行う無線通信システムであって、各前記無線装置は、前記２つの無線伝送周波数帯のうち一方の無線伝送周波数帯を用いたＴＤＤ（Time  Division  Duplex）の複信方式によって双方向の無線通信を行う無線通信機能をさらに備え、ＦＤＤ方式による双方向の無線通信を行っている際に、前記２つの無線伝送周波数帯のうち、一方の無線伝送周波数帯の通信品質があらかじめ定めた低下閾値以下の値に低下した場合、良好な通信品質を維持している他方の無線伝送周波数帯を用いたＴＤＤ方式による複信方式に切り替えて、双方向の無線通信を維持することを特徴とする。
【００１３】
（２）本発明による無線装置は、対向する相手側の対向無線装置と無線通信を行う複信方式として、上り、下り方向それぞれで異なる２つの無線伝送周波数帯を用いたＦＤＤ（Frequency  Division  Duplex）方式によって双方向の無線通信を行う無線装置であって、前記２つの無線伝送周波数帯のうち一方の無線伝送周波数帯を用いたＴＤＤ（Time  Division  Duplex）の複信方式によって無線通信を行う双方向の無線通信機能をさらに備え、ＦＤＤ方式による双方向の無線通信を行っている際に、前記２つの無線伝送周波数帯のうち、一方の無線伝送周波数帯の通信品質があらかじめ定めた低下閾値以下の値に低下したことを検出した場合、良好な通信品質を維持している他方の無線伝送周波数帯を用いたＴＤＤ方式による複信方式に切り替えて、双方向の無線通信を維持する。
【００１４】
（３）本発明による無線通信方法は、対向する相手側の対向無線装置と無線通信を行う複信方式として、上り、下り方向それぞれで異なる２つの無線伝送周波数帯を用いたＦＤＤ（Frequency  Division  Duplex）方式によって双方向の無線通信を行う無線装置における無線通信方法であって、前記２つの無線伝送周波数帯のうち一方の無線伝送周波数帯を用いたＴＤＤ（Time  Division  Duplex）の複信方式によって双方向の無線通信を行う無線通信機能をさらに有し、ＦＤＤ方式による双方向の無線通信を行っている際に、前記２つの無線伝送周波数帯のうち、一方の無線伝送周波数帯の通信品質があらかじめ定めた低下閾値以下の値に低下したことを検出した場合、良好な通信品質を維持している他方の無線伝送周波数帯を用いたＴＤＤ方式による複信方式に切り替えて、双方向の無線通信を維持することを特徴とする。
【００１５】
（４）本発明による無線通信プログラムは、少なくとも前記（３）に記載の無線通信方法の少なくとも一部をコンピュータによって実行可能なプログラムとして実施していることを特徴とする。
【発明の効果】
【００１６】
本発明の無線通信システム、無線装置、無線通信方法および無線通信プログラムによれば、以下のような効果を奏することができる。
【００１７】
第１の効果は、ＦＤＤ方式の複信方式において使用している２つの無線伝送周波数帯ｆ１、ｆ２のうち、いずれか一方の無線伝送周波数帯例えば無線伝送周波数帯ｆ１に干渉などが発生して通信品質が低下した場合であっても、通信品質が低下していない他方の無線伝送周波数帯例えば無線伝送周波数帯ｆ２を用いたＴＤＤ方式に複信方式を切り替えることによって、双方向の無線通信を維持することができることである。また、通信品質が低下していた一方の無線伝送周波数帯例えば無線伝送周波数帯ｆ１が良好な通信品質の状態に回復した際には、複信方式を、２つの無線伝送周波数帯ｆ１、ｆ２を用いたＦＤＤ方式にＴＤＤ方式から切り戻すことにより、安定した双方向の無線通信を行うことができることである。
【００１８】
第２の効果は、ＦＤＤ方式の複信方式において使用している２つの無線伝送周波数帯ｆ１、ｆ２のうち、一方の無線伝送周波数帯例えば無線伝送周波数帯ｆ１の通信品質が干渉により低下した場合、通信品質が低下していない他方の無線伝送周波数帯例えば無線伝送周波数帯ｆ２を用いたＴＤＤ方式に複信方式を切り替えることによって、干渉に対する耐性を高めた無線通信システムを実現することができることである。
【図面の簡単な説明】
【００１９】
【図１】本発明による無線通信システムの全体構成の一例を示すシステム構成図である。
【図２】図１に示した無線装置内の無線処理部の内部構成の一例を示すブロック構成図である。
【図３】図２に示した無線処理部内の複信方式判定切替制御部の内部構成の一例を示すブロック構成図である。
【図４】図２に示した無線処理部内の複信方式切替スイッチ部の内部構成の一例を示すブロック構成図である。
【図５】図１に示した対向無線装置内の無線処理部の内部構成の一例を示すブロック構成図である。
【図６】図５に示した無線処理部内の複信方式判定切替制御部の内部構成の一例を示すブロック構成図である。
【図７】図５に示した無線処理部内の複信方式切替スイッチ部の内部構成の一例を示すブロック構成図である。
【図８】図１に示した無線通信システムにおいて無線回線断状態が発生した場合の動作の一例を示すフローチャートである。
【図９】図１に示した無線通信システムにおいて無線回線断状態から回復した場合の動作の一例を示すフローチャートである。
【発明を実施するための形態】
【００２０】
以下、本発明による無線通信システム、無線装置、無線通信方法および無線通信プログラムの好適な実施形態について添付図を参照して説明する。なお、以下の説明においては、本発明による無線通信システム、無線装置および無線通信方法について説明するが、かかる無線通信方法をコンピュータにより実行可能な無線通信プログラムとして実施するようにしても良いし、あるいは、無線通信プログラムをコンピュータにより読み取り可能な記録媒体に記録するようにしても良いことは言うまでもない。
【００２１】
（本発明の特徴）
本発明の実施形態の説明に先立って、本発明の特徴についてその概要をまず説明する。本発明の特徴は、複信方式として主にＦＤＤ（Frequency  Division  Duplex：周波数分割複信）方式を用いる無線通信システムにおいて、無線通信回線に干渉等が発生して、無線通信回線の品質が低下した際に、複信方式をＦＤＤ方式からＴＤＤ（Time  Division  Duplex：時分割複信）方式に切り替えることによって、無線通信の品質低下状態を回避し、双方向通信を維持することを可能にしていることにある。
【００２２】
つまり、本発明においては、複信方式としてＦＤＤ方式とＴＤＤ方式との双方の無線通信システムを構成することが可能な無線装置内に複信方式判定切替制御部を設置することによって、無線装置間の上り、下り双方の無線回線の無線状態を監視し、無線回線の品質があらかじめ定めた低下閾値以下に低下した品質低下状態を検出した際には、当該無線回線の複信方式をＦＤＤ方式からＴＤＤ方式に切り替えることによって双方向通信を維持することを可能にしている。さらに、複信方式判定切替制御部が、切り替え後においても、無線装置間の無線回線の無線状態を常に監視することによって、上り、下り双方の無線回線の品質があらかじめ定めた回復閾値よりも向上した状態を検出した際には、当該無線回線の複信方式をＴＤＤ方式からＦＤＤ方式に復帰させることも可能にしている。
【００２３】
而して、無線装置間の一方の無線伝送周波数帯に品質低下が発生した場合に、相手側の無線装置に対して確実に切り替え指示を通知することができ、かつ、無線装置双方の複信方式判定切替制御部それぞれにおいて、複信方式の切り替えを確実に実行することができる構成にしているので、無線装置間の無線状態の通信品質が低下している状況下であっても、確実に、複信方式の切り替えを行うことができる。ここで、前記低下閾値と前記回復閾値とを同一の値に設定するようにしても良いし、あるいは、ＦＤＤ方式とＴＤＤ方式との頻繁な切り替えの発生を防止するために、前記回復閾値を前記低下閾値よりも大きな値に設定するようにしても良い。
【００２４】
（実施形態の構成例）
次に、本発明による無線通信システムの実施形態の構成例について説明する。前述したように、本発明は、無線通信システムを構成する無線装置内の無線処理部に複信方式判定切替制御部を備えていることを主要な特徴としている。
【００２５】
該複信方式判定切替制御部は、ＦＤＤ方式を用いて複信を行っている無線通信システムの無線装置において、対向の無線装置から受信する受信信号を監視し、干渉などによる無線通信品質の低下状態を検出する。複信方式判定切替制御部があらかじめ定めた低下閾値以下に低下した無線通信品質の低下状態を検出すると、複信方式を、ＦＤＤ方式から、残った他方の無線伝送周波数帯を用いたＴＤＤ方式に切り替える制御を行う。複信方式をＦＤＤ方式からＴＤＤ方式に切り替えることによって、当該無線回線における双方向通信を維持することができる。
【００２６】
また、切り替え後においても、該複信方式判定切替制御部は常に対向の無線装置から受信する受信信号を監視することによって、あらかじめ定めた回復閾値よりも向上した無線通信品質の回復状態を検出した場合には、複信方式をＴＤＤ方式からＦＤＤ方式に切り戻すことにより、ＦＤＤ方式を用いた双方向通信に復帰させることができる。
【００２７】
図１は、本発明による無線通信システムの全体構成の一例を示すシステム構成図であり、双方向の無線回線を有する２つの無線装置のみを抽出して示している。図１に示す無線通信システムにおいては、無線装置２および無線装置７（対向無線装置７）は、互いに対向して配置され、ネットワーク１、ネットワーク１０それぞれに接続されており、必要に応じて、２つの無線装置２および対向無線装置７間の複信方式をＦＤＤ方式とＴＤＤ方式とのいずれかにも切り替えて無線通信を行うことができる。
【００２８】
図１の無線通信システムにおいて、ネットワーク１は、複数の無線通信システムのまとまりで伝送データの送受信処理を行っている。例えば、ネットワーク１は、ネットワーク１０へ伝送する伝送データ信号Ｓ１を無線装置２に対して出力する。
【００２９】
伝送データ信号Ｓ１を受け取った無線装置２は、ディジタル信号処理部３と無線処理部４とから構成されている。無線装置２は、ネットワーク１から入力された伝送データ信号Ｓ１に対して、対向する対向無線装置７に無線伝送するための各種の処理を行う。無線装置２は、処理した無線処理信号Ｓ３をアンテナ５に対して出力する。
【００３０】
つまり、無線装置２内のディジタル信号処理部３は、ネットワーク１から入力された伝送データ信号Ｓ１に対して、必要なディジタル信号の処理を行う。必要なディジタル信号処理としては、例えば、フォーマット変換、符号化などが含まれる。また、ディジタル信号処理部３は、無線通信システムとして使用している複信方式がＴＤＤ方式であった場合には、ＴＸ／ＲＸ（Transmitter／Receiver）切替制御信号Ｃ１（送受信切替制御信号Ｃ１）によって制御され、送信時には必要なディジタル信号の処理を行い、受信時には、ネットワーク１に対して、データ送信を中断する制御を行う。ディジタル信号処理部３は、処理して生成した出力データ信号Ｓ２を無線処理部４に対して出力する。
【００３１】
無線処理部４は、ディジタル信号処理部３から入力された出力データ信号Ｓ２に対して、無線伝送するために必要な処理を行う。必要な処理としては、例えば、制御ヘッダの多重、変調、複信方式の選択、無線伝送周波数帯の選択などが含まれる。無線処理部４は、処理して生成した無線処理信号Ｓ３をアンテナ５に対して出力する。アンテナ５は、無線装置２の無線処理部４から入力された無線処理信号Ｓ３を、無線処理部４において選択された無線伝送周波数帯ｆ１を使ってアンテナ６に対して送信する。
【００３２】
アンテナ６は、アンテナ５から出力された無線伝送周波数帯ｆ１の無線処理信号Ｓ３を、無線処理信号Ｓ６として受信して、対向する対向無線装置７に対して出力する。
【００３３】
アンテナ６からの無線処理信号Ｓ６を入力された対向無線装置７は、無線装置２の場合と同様、無線処理部８とディジタル信号処理部９とから構成されている。対向無線装置７は、アンテナ６から入力された無線処理信号Ｓ６に対して、ネットワーク１０へ伝送するための受信処理を行う。対向無線装置７は、処理した伝送データ信号Ｓ８をネットワーク１０に対して出力する。
【００３４】
つまり、対向無線装置７内の無線処理部８は、アンテナ６から入力された無線処理信号Ｓ６に対して、ディジタル信号処理部９に送信するために必要な処理を行う。必要な処理としては、制御ヘッダの抽出、復調、複信方式の選択、無線伝送周波数帯の選択などが含まれる。無線処理部８は、処理して生成した出力データ信号Ｓ７をディジタル信号処理部９に対して出力する。
【００３５】
ディジタル信号処理部９は、無線処理部８から入力された伝送データ信号Ｓ９に対して、必要なディジタル信号の処理を行う。必要なディジタル信号処理としては、フォーマット変換、復号化などが含まれる。また、ディジタル信号処理部９は、無線通信システムとして使用している複信方式がＴＤＤ方式であった場合、ＴＸ／ＲＸ切替制御信号Ｃ２（（送受信切替制御信号Ｃ２）によって制御され、送信時は必要なディジタル信号の処理を行い、受信時には、ネットワーク１０に対して、データ送信を中断する制御を行う。ディジタル信号処理部９は、処理して生成した伝送データ信号Ｓ８をネットワーク１０に対して出力する。
【００３６】
ネットワーク１０も、ネットワーク１と同様、複数の無線通信システムのまとまりで伝送データの送受信処理を行っている。例えば、対向無線装置７のディジタル信号処理部９から出力された伝送データ信号Ｓ８が、ネットワーク１０に入力されることによって、図１に示す無線通信システムにおけるネットワーク１からネットワーク１０への伝送データの無線通信が確立する。なお、ネットワーク１０からネットワーク１に対して伝送する伝送データがある場合には、前述した手順を逆の順序で実施して、伝送データを伝送することによって、図１に示す無線通信システムにおけるネットワーク１０からネットワーク１への伝送データの無線通信を行うことができる。
【００３７】
（無線装置２内の無線処理部４の内部構成例）
次に、図１に示した無線装置２内の無線処理部４の内部構成について、図２を用いて詳細に説明する。図２は、図１に示した無線装置２内の無線処理部４の内部構成の一例を示すブロック構成図である。なお、後述するように、図１の無線装置７（対向無線装置７）内の無線処理部８も、図２の無線装置２内の無線処理部４と全く同様の構成からなっている。
【００３８】
図２に示す無線処理部４は、ディジタル信号処理部３とアンテナ５との間に介在していて、複信方式判定切替制御部１０１、ＦＤＤ送信部１０２、ＴＤＤ送信部１０３、ＴＤＤ受信部１０４、ＦＤＤ受信部１０５、複信方式切替スイッチ部１０６、デュプレクサ１０７、ＧＰＳアンテナ１０８、ＴＤＤ同期制御部１０９、制御ヘッダ多重部１１０、制御ヘッダ抽出部１１１、スイッチ１１２、スイッチ１１３、ＦＤＤ受信周波数帯選択スイッチ１１４、ＴＤＤ送受信切替スイッチ１１５、を少なくとも備えて構成されている。
【００３９】
図２に示す無線処理部４において、制御ヘッダ多重部１１０は、ディジタル信号処理部３から入力された出力データ信号Ｓ２に対して、複信方式判定切替制御部１０１において生成された制御ヘッダＳ１０１を多重する処理を行い、制御ヘッダ多重データ信号Ｓ１０２を生成する。制御ヘッダ多重部１１０は、多重処理された制御ヘッダ多重データ信号Ｓ１０２をスイッチ（ＳＷ）１１２およびＴＤＤ送信部１０３に出力する。
【００４０】
スイッチ１１２は、制御ヘッダ多重部１１０から入力された制御ヘッダ多重データ信号Ｓ１０２および複信方式判定切替制御部１０１から入力された無線状態判別信号Ｓ１０３に対して、指定された無線通信システムの複信方式に応じた選択処理を行う。すなわち、無線通信システムの複信方式がＦＤＤ方式の場合には、制御ヘッダ多重部１１０から入力された制御ヘッダ多重データ信号Ｓ１０２を選択し、無線通信システムの複信方式がＴＤＤ方式の場合には、複信方式判定切替制御部１０１から入力された無線状態判別信号Ｓ１０３を選択する。スイッチ１１２は、制御ヘッダ多重データ信号Ｓ１０２、無線状態判別信号Ｓ１０３のいずれか選択した信号を出力データ信号Ｓ１０４としてＦＤＤ送信部１０２に対して出力する。
【００４１】
ＦＤＤ送信部１０２は、スイッチ１１２から入力された出力データ信号Ｓ１０４に対して、複信方式としてＦＤＤ方式を用いて無線伝送するために必要な送信処理を行う。ここで、ＦＤＤ送信部１０２において必要な送信処理としては、例えば、Ｄ／Ａ変換、変調、増幅などが含まれる。ＦＤＤ送信部１０２は、無線伝送処理して生成した無線処理信号Ｓ１０５を、複信方式切替スイッチ部１０６に対して出力する。
【００４２】
複信方式切替スイッチ部１０６は、ＦＤＤ送信部１０２から入力された無線処理信号Ｓ１０５およびＴＤＤ送受信切替スイッチ１１５から入力された無線処理信号Ｓ１１６に対して、指定された無線通信システムの複信方式に応じた選択処理を行う。無線通信システムの複信方式がＦＤＤ方式の場合には、ＦＤＤ送信部１０２から入力された無線処理信号Ｓ１０５を選択し、無線通信システムの複信方式がＴＤＤ方式の場合には、ＴＤＤ送受信切替スイッチ１１５から入力された無線処理信号Ｓ１１６を選択する。複信方式切替スイッチ部１０６は、無線処理信号Ｓ１０５または無線処理信号Ｓ１１６のいずれか選択した信号を周波数帯ｆ１無線処理送信信号Ｓ１０６および周波数帯ｆ２無線処理送信信号Ｓ１０７としてデュプレクサ１０７に対して出力する。
【００４３】
また、複信方式切替スイッチ部１０６は、逆方向の信号として、デュプレクサ１０７から入力された周波数帯ｆ１無線処理受信信号Ｓ１０８および周波数帯ｆ２無線処理受信信号Ｓ１０９に対して、複信方式判定切替制御部１０１からのスイッチ切替制御信号Ｃ１０２に基づいた選択処理を行う。つまり、複信方式判定切替制御部１０１からのスイッチ切替制御信号Ｃ１０２が指定した無線通信システムの複信方式がＴＤＤ方式の場合には、無線伝送周波数帯に応じて、周波数帯ｆ１無線処理受信信号Ｓ１０８または周波数帯ｆ２無線処理受信信号Ｓ１０９のいずれかを選択する。複信方式切替スイッチ部１０６は、周波数帯ｆ１無線処理受信信号Ｓ１０８または周波数帯ｆ２無線処理受信信号Ｓ１０９のいずれか選択した信号を無線処理信号Ｓ１１６としてＴＤＤ送受信切替スイッチ１１５に対して出力する。
【００４４】
デュプレクサ１０７は、複信方式切替スイッチ部１０６から入力された周波数帯ｆ１無線処理送信信号Ｓ１０６および周波数帯ｆ２無線処理送信信号Ｓ１０７に対して、指定された無線伝送周波数帯に応じて、デュプレクサ１０７内のフィルタによって周波数帯を分離するフィルタリング処理を行う。デュプレクサ１０７は、周波数帯の分離処理をして生成した無線処理信号Ｓ３をアンテナ５に対して出力する。
【００４５】
また、デュプレクサ１０７は、逆方向の信号として、アンテナ５から入力された無線処理信号Ｓ３に対して、指定された無線伝送周波数帯に応じて、デュプレクサ１０７内のフィルタによって周波数帯を分離するフィルタリング処理を行う。デュプレクサ１０７は、周波数帯の分離処理をして生成した周波数帯ｆ１無線処理受信信号Ｓ１０８または周波数帯ｆ２無線処理受信信号Ｓ１０９を複信方式切替スイッチ部１０６およびＦＤＤ受信周波数帯選択スイッチ１１４に対して出力する。
【００４６】
ＦＤＤ受信周波数帯選択スイッチ１１４は、デュプレクサ１０７から入力された周波数帯ｆ１無線処理受信信号Ｓ１０８および周波数帯ｆ２無線処理受信信号Ｓ１０９に対して、指定された無線伝送周波数帯に応じた選択処理を行う。ＦＤＤ受信周波数帯選択スイッチ１１４は、複信方式判定切替制御部１０１から入力されたＦＤＤ受信周波数帯選択制御信号Ｃ１０１によって制御され、ＦＤＤ受信周波数帯選択制御信号Ｃ１０１によって指定されたＦＤＤ受信周波数帯がｆ１の場合には、デュプレクサ１０７から入力された周波数帯ｆ１無線処理受信信号Ｓ１０８を選択し、ＦＤＤ受信周波数帯選択制御信号Ｃ１０１によって指定されたＦＤＤ受信周波数帯がｆ２の場合には、デュプレクサ１０７から入力された周波数帯ｆ２無線処理受信信号Ｓ１０９を選択する。ＦＤＤ受信周波数帯選択スイッチ１１４は、選択した信号を出力信号Ｓ１１０としてＦＤＤ受信部１０５に対して出力する。
【００４７】
ＦＤＤ受信部１０５は、ＦＤＤ受信周波数帯選択スイッチ１１４から入力された出力信号Ｓ１１０に対して、複信方式がＦＤＤ方式である場合として受信するために必要な受信処理を行う。複信方式がＦＤＤ方式である場合として必要な受信処理としては、例えば、増幅、復調、Ａ／Ｄ変換などが含まれる。ＦＤＤ受信部１０５は、受信処理して生成した出力データ信号Ｓ１１１をスイッチ１１３および複信方式判定切替制御部１０１に対して出力する。
【００４８】
スイッチ１１３は、ＦＤＤ受信部１０５から入力された出力データ信号Ｓ１１１およびＴＤＤ受信部１０４から入力された出力データ信号Ｓ１１８に対して、複信方式判定切替制御部１０１により指定された無線通信システムの複信方式に応じた選択処理を行う。スイッチ１１３は、複信方式判定切替制御部１０１から入力されたスイッチ切替制御信号Ｃ１０２により指定された無線通信システムの複信方式がＦＤＤ方式であった場合には、ＦＤＤ受信部１０５から入力された出力データ信号Ｓ１１１を選択し、複信方式判定切替制御部１０１から入力されたスイッチ切替制御信号Ｃ１０２により指定された無線通信システムの複信方式がＴＤＤ方式であった場合には、ＴＤＤ受信部１０４から入力された出力データ信号Ｓ１１８を選択する。スイッチ１１３は、選択した信号を出力データ信号Ｓ１１２として制御ヘッダ抽出部１１１に対して出力する。
【００４９】
制御ヘッダ抽出部１１１は、スイッチ１１３から入力された出力データ信号Ｓ１１２から、制御ヘッダを抽出して、解析処理を行う。制御ヘッダ抽出部１１１は、抽出、解析処理した結果に基づいて生成した同期信号検出結果Ｓ１１３および複信方式情報Ｓ１１４を複信方式判定切替制御部１０１に対して出力する。また、制御ヘッダ抽出部１１１は、制御ヘッダを抽出して削除した後の信号を出力データ信号Ｓ４としてディジタル信号処理部３に対して出力する。
【００５０】
複信方式判定切替制御部１０１は、無線回線の無線状態を監視するための制御ヘッダＳ１０１を生成して、制御ヘッダ多重部１１０に対して出力する。また、複信方式判定切替制御部１０１は、制御ヘッダ抽出部１１１から入力された同期信号検出結果Ｓ１１３および複信方式情報Ｓ１１４に対する解析結果に基づいて、無線回線の無線状態の判別を行う。さらに、複信方式判定切替制御部１０１は、無線回線の無線状態の判別結果に応じた複信方式に切り替えるために、スイッチ切替制御信号Ｃ１０２をスイッチ１１２、スイッチ１１３および複信方式切替スイッチ部１０６に対して出力する。
【００５１】
また、複信方式判定切替制御部１０１は、複信方式がＴＤＤ方式であった場合には、無線回線の回線品質が低下している（例えば無線断状態になっている）周波数帯を監視するための無線状態判別信号Ｓ１０３をスイッチ１１２に対して出力する。さらに、複信方式判定切替制御部１０１は、逆方向の信号として、ＦＤＤ受信部１０５から入力された出力データ信号Ｓ１１１を解析して、対向する対向無線装置７からの無線処理信号Ｓ３に無線状態判別信号が含まれているか否かを判別し、含まれていた場合には、該無線状態判別信号の抽出、解析処理を行う。
【００５２】
ＧＰＳアンテナ１０８は、複信方式としてＴＤＤ方式を用いてデータ送受信を行う場合には、対向する対向無線装置７とデータ送受信を行う切り替えタイミングを揃えるための時間データを取得する。ＧＰＳアンテナ１０８は、取得した時間データ信号Ｓ１１９をＴＤＤ同期制御部１０９に対して出力する。
【００５３】
ＴＤＤ同期制御部１０９は、ＧＰＳアンテナ１０８から入力された時間データ信号Ｓ１１９に対して、複信方式としてＴＤＤ方式を用いてデータ送受信を行うための送受信切り替えタイミング生成処理を行う。ＴＤＤ同期制御部１０９は、データ送受信の同期制御を行うために、送受信切り替えタイミングを、ＴＸ／ＲＸ切替制御信号すなわち送受信切替制御信号Ｃ１として出力する処理を行う。ＴＤＤ同期制御部１０９は、送受信切替制御信号Ｃ１を、ＴＤＤ送信部１０３、ＴＤＤ受信部１０４、ＴＤＤ送受信切替スイッチ１１５およびディジタル信号処理部３に対して出力する。
【００５４】
ＴＤＤ送信部１０３は、制御ヘッダ多重部１１０から入力された制御ヘッダ多重データ信号Ｓ１０２に対して、複信方式としてＴＤＤ方式を用いて送信しようとするデータを無線伝送するために必要な送信処理を行う。必要な送信処理としては、例えば、Ｄ／Ａ変換、変調、増幅などが含まれる。ＴＤＤ送信部１０３は、無線伝送処理して生成した無線処理信号Ｓ１１５をＴＤＤ送受信切替スイッチ１１５に対して出力する。
【００５５】
ＴＤＤ送受信切替スイッチ１１５は、ＴＤＤ送信部１０３から入力された無線処理信号Ｓ１１５に対して、送受信切替制御信号Ｃ１によって制御している送信タイミングに同期させるように切り替え動作を行うことにより、無線処理信号Ｓ１１６として複信方式切替スイッチ部１０６に対して出力する。また、ＴＤＤ送受信切替スイッチ１１５は、逆方向の信号として、複信方式切替スイッチ部１０６から入力された無線処理信号Ｓ１１６に対して、送受信切替制御信号Ｃ１によって制御している受信タイミングに同期させるように切り替え動作を行うことにより、無線処理信号Ｓ１１７としてＴＤＤ受信部１０４に対して出力する。
【００５６】
ＴＤＤ受信部１０４は、ＴＤＤ送受信切替スイッチ１１５から入力された無線処理信号Ｓ１１７に対して、複信方式としてＴＤＤ方式を用いて受信するために必要な受信処理を行う。必要な受信処理としては、例えば、増幅、復調、Ａ／Ｄ変換などが含まれる。ＴＤＤ受信部１０４は、受信処理して生成した出力データ信号Ｓ１１８をスイッチ１１３に対して出力する。
【００５７】
以上のように、無線装置２内の無線処理部４は、無線回線の品質状態を監視するために、無線処理部４内の複信方式判定切替制御部１０１において生成された制御ヘッダＳ１０１をディジタル信号処理部３からの出力データ信号Ｓ２に対して多重した制御ヘッダ多重データ信号Ｓ１０２か、あるいは、無線回線の品質状態を判別するための無線状態判別信号Ｓ１０３かのいずれかを、ＦＤＤ方式またはＴＤＤ方式のいずれか現在選択されている複信方式を用いた無線処理信号Ｓ３として生成してアンテナ５に対して出力する。アンテナ５は、無線装置２の無線処理部４から入力された無線処理信号Ｓ３を対向する対向無線装置７が接続されているアンテナ６に対して送信する。
【００５８】
アンテナ５からの無線処理信号Ｓ３を無線処理信号Ｓ６として受け取った対向のアンテナ６は、接続している対向無線装置７に対して出力する。対向無線装置７内の無線処理部８は、アンテナ６から入力された、ＦＤＤ方式またはＴＤＤ方式のいずれか現在選択されている複信方式を用いた無線処理信号Ｓ６に含まれている無線装置２側の制御ヘッダＳ１０１または無線状態判別信号Ｓ１０３を無線処理部８内の複信方式判定切替制御部４０１において解析する。複信方式判定切替制御部４０１は、複信方式としてＦＤＤ方式を用いていた場合において、無線回線の品質状態が低下した無線伝送周波数帯を検出した場合には、複信方式を、無線回線の品質状態が低下していない無線伝送周波数帯を用いたＴＤＤ方式にＦＤＤ方式から切り替えて、双方向通信を維持することを可能にする。
【００５９】
以上のように、無線回線の品質状況に応じて、複信方式をＦＤＤ方式からＴＤＤ方式に切り替えることによって、片方の無線伝送周波数帯の品質があらかじめ定めた低下閾値以下に低下して、無線伝送に使うことができない状態に陥ったとしても、他方の無線伝送周波数帯を用いたＴＤＤ方式に切り替えることにより、双方向通信を実現することができる。また、品質が低下した無線伝送周波数帯の品質があらかじめ定めた回復閾値よりも向上した状態に回復した場合には、複信方式をＴＤＤ方式からＦＤＤ方式に復帰させることも可能である。
【００６０】
（無線処理部４内の複信方式判定切替制御部１０１の内部構成例）
次に、図２に示した無線装置２内の無線処理部４の中に備えた複信方式判定切替制御部１０１の内部構成について、図３を用いて詳細に説明する。図３は、図２に示した無線処理部４内の複信方式判定切替制御部１０１の内部構成の一例を示すブロック構成図である。なお、後述するように、図１の無線装置７（対向無線装置７）内の無線処理部８内にも、図３の複信方式判定切替制御部１０１と全く同様の構成からなる複信方式判定切替制御部が備えられている。
【００６１】
図３に示す複信方式判定切替制御部１０１は、図２に示したように、無線回線の回線品質を監視するための制御ヘッダＳ１０１を制御ヘッダ多重部１１０に対して出力するとともに、制御ヘッダ抽出部１１１からの同期信号検出結果Ｓ１１３および複信方式情報Ｓ１１４とＦＤＤ受信部１０５からの出力データ信号Ｓ１１１とに基づいて、無線回線の無線状態を判別し、その判別結果を、無線状態判別信号Ｓ１０３としてスイッチ１１２に対して出力し、ＦＤＤ受信周波数帯選択制御信号Ｃ１０１としてＦＤＤ受信周波数帯選択スイッチ１１４に対して出力し、スイッチ切替制御信号Ｃ１０２として、複信方式切替スイッチ部１０６、スイッチ１１２およびスイッチ１１３に対して出力する。
【００６２】
図３に示すように、複信方式判定切替制御部１０１は、中央処理制御部２０１、無線状態判別信号抽出部２０２を少なくとも備えて構成されている。
【００６３】
図３において、中央処理制御部２０１は、無線状態を監視するための制御ヘッダＳ１０１を生成し、制御ヘッダ多重部１１０に対して出力する。また、中央処理制御部２０１は、制御ヘッダ抽出部１１１から入力された同期信号検出結果Ｓ１１３と複信方式情報Ｓ１１４とに基づき、無線回線の無線状態の判別を行う。中央処理制御部２０１は、無線回線の無線状態の判別結果に応じた複信方式に切り替えるために、スイッチ切替制御信号Ｃ１０２をスイッチ１１２、スイッチ１１３および複信方式切替スイッチ部１０６に対して出力する。
【００６４】
さらに、中央処理制御部２０１は、無線通信システムの複信方式がＴＤＤ方式であった場合、回線品質が低下している状態になっている無線伝送周波数帯の品質状態を監視するための無線状態判別信号Ｓ１０３をスイッチ１１３に対して出力する。また、中央処理制御部２０１は、対向無線装置７から送られてくる逆方向の信号に関して、無線状態判別信号抽出部２０２から入力される無線状態判別信号解析結果Ｓ２０１に基づいて、無線回線の回線品質があらかじめ定めた回復閾値よりも向上した状態に達したものと判断した場合には、複信方式をＴＤＤ方式からＦＤＤ方式に切り替えて、元の状態に復帰させる制御も行う。
【００６５】
無線状態判別信号抽出部２０２は、無線通信システムの複信方式がＴＤＤ方式であった場合に、ＦＤＤ受信部１０５から入力された出力データ信号Ｓ１１１から、対向無線装置７から送られてきた無線状態判別信号を抽出して、無線回線の回線品質の解析処理を行う。無線状態判別信号抽出部２０２は、無線回線の回線品質の解析結果を示す無線状態判別信号解析結果Ｓ２０１を中央処理制御部２０１に対して出力する。
【００６６】
（無線処理部４内の複信方式切替スイッチ部１０６の内部構成例）
次に、図２に示した無線装置２内の無線処理部４の中に備えた複信方式切替スイッチ部１０６の内部構成について、図４を用いて詳細に説明する。図４は、図２に示した無線処理部４内の複信方式切替スイッチ部１０６の内部構成の一例を示すブロック構成図である。なお、後述するように、図１の無線装置７（対向無線装置７）内の無線処理部８内にも、図４の複信方式切替スイッチ部１０６と全く同様の構成からなる複信方式切替スイッチ部が備えられている。
【００６７】
図４に示す複信方式切替スイッチ部１０６は、図２に示したように、複信方式判定切替制御部１０１からのスイッチ切替制御信号Ｃ１０２に基づいて、ＦＤＤ送信部１０２からの無線処理信号Ｓ１０５またはＴＤＤ送信部１０３からの無線処理信号Ｓ１１５のいずれかを選択して、周波数帯ｆ１無線処理送信信号Ｓ１０６および周波数帯ｆ２無線処理送信信号Ｓ１０７として、または、時間的に区切られた周波数帯ｆ１無線処理送信信号Ｓ１０６または周波数帯ｆ２無線処理送信信号Ｓ１０７として、デュプレクサ１０７に対して出力する。さらに、複信方式切替スイッチ部１０６は、デュプレクサ１０７からの逆方向の周波数帯ｆ１無線処理受信信号Ｓ１０８または周波数帯ｆ２無線処理受信信号Ｓ１０９を受け取った場合、複信方式判定切替制御部１０１からのスイッチ切替制御信号Ｃ１０２に基づいて、時間的に区切られた周波数帯ｆ１無線処理受信信号Ｓ１０８または周波数帯ｆ２無線処理受信信号Ｓ１０９を、無線処理信号Ｓ１１７として、ＴＤＤ受信部１０４に対して出力する。
【００６８】
図４に示すように、複信方式切替スイッチ部１０６は、周波数帯ｆ１送信複信方式切替スイッチ３０１、周波数帯ｆ２送信複信方式切替スイッチ３０２、ＴＤＤ受信周波数帯切替スイッチ３０３、および、サーキュレータ３０４を少なくとも備えて構成されている。
【００６９】
図４において、周波数帯ｆ１送信複信方式切替スイッチ３０１は、複信方式判定切替制御部１０１からのスイッチ切替制御信号Ｃ１０２によって制御されるスイッチである。周波数帯ｆ１送信複信方式切替スイッチ３０１は、無線通信システムの複信方式がＦＤＤ方式であった場合には、ＦＤＤ送信部１０２から入力された無線処理信号Ｓ１０５を選択する。また、周波数帯ｆ１送信複信方式切替スイッチ３０１は、無線通信システムの複信方式が周波数帯ｆ１を用いたＴＤＤ方式による通信を行う場合には、ＴＤＤ送信部１０３からの無線処理信号Ｓ１１５がＴＤＤ送受信切替スイッチ１１５を経由して無線処理信号Ｓ１１６としてサーキュレータ３０４に入力された後、サーキュレータ３０４を介して入力されてきた無線処理信号Ｓ３０２を選択する。周波数帯ｆ１送信複信方式切替スイッチ３０１は、無線処理信号Ｓ１０５または無線処理信号Ｓ３０２のいずれか選択した信号を、周波数帯ｆ１無線処理送信信号Ｓ１０６としてデュプレクサ１０７に対して出力する。
【００７０】
周波数帯ｆ２送信複信方式切替スイッチ３０２も、複信方式判定切替制御部１０１からのスイッチ切替制御信号Ｃ１０２によって制御されるスイッチである。周波数帯ｆ２送信複信方式切替スイッチ３０２は、無線通信システムの複信方式がＦＤＤ方式であった場合には、ＦＤＤ送信部１０２から入力された無線処理信号Ｓ１０５を選択する。また、周波数帯ｆ２送信複信方式切替スイッチ３０２は、無線通信システムの複信方式が周波数帯ｆ２を用いたＴＤＤ方式による通信を行う場合には、ＴＤＤ送信部１０３からの無線処理信号Ｓ１１５がＴＤＤ送受信切替スイッチ１１５を経由して無線処理信号Ｓ１１６としてサーキュレータ３０４に入力された後、サーキュレータ３０４を介して入力されてきた無線処理信号Ｓ３０２を選択する。周波数帯ｆ２送信複信方式切替スイッチ３０２は、無線処理信号Ｓ１０５または無線処理信号Ｓ３０２のいずれか選択した信号を、周波数帯ｆ２無線処理送信信号Ｓ１０７としてデュプレクサ１０７に対して出力する。
【００７１】
ＴＤＤ受信周波数帯切替スイッチ３０３は、複信方式判定切替制御部１０１からのスイッチ切替制御信号Ｃ１０２によって指定されている無線通信ステムの複信方式がＴＤＤ方式であった場合には、逆方向の信号として、デュプレクサ１０７から入力された周波数帯ｆ１無線処理受信信号Ｓ１０８または周波数帯ｆ２無線処理受信信号Ｓ１０９のうち、通信している周波数帯域に応じて、周波数帯ｆ１無線処理受信信号Ｓ１０８または周波数帯ｆ２無線処理受信信号Ｓ１０９を選択する。ＴＤＤ受信周波数帯切替スイッチ３０３は、選択した信号を無線処理信号Ｓ３０１としてサーキュレータ３０４に対して出力する。
【００７２】
サーキュレータ３０４は、選択していない伝送データの流れ込みを防ぐものである。サーキュレータ３０４は、ＴＤＤ送受信切替スイッチ１１５から入力される無線処理信号Ｓ１１６を時間的に区切って、無線処理信号Ｓ３０２として、周波数帯ｆ１送信複信方式切替スイッチ３０１および周波数帯ｆ２送信複信方式切替スイッチ３０２に対して出力する。また、サーキュレータ３０４は、逆方向の信号として、ＴＤＤ受信周波数帯切替スイッチ３０３から入力された無線処理信号Ｓ３０１を、時間的な同期を取って、無線処理信号Ｓ１１６としてＴＤＤ送受信切替スイッチ１１５に対して出力する。
【００７３】
なお、前述したデュプレクサ１０７については、異なる周波数帯ｆ１、ｆ２それぞれを通過周波数帯域として有するＢＰＦ（Band  Pass  Filter：バンドパスフィルタ）２個を用いて構成するようにしても良い。また、アンテナ５については、周波数帯に応じてそれぞれ１個ずつのアンテナを設置するように構成しても良い。また、ＧＰＳアンテナ１０８については、例えば、ＩＥＥＥ１５８８規格（高精度時間プロトコル）のような他の同期技術を用いて構成するようにしても良い。
【００７４】
（対向無線装置７内の無線処理部８の内部構成例）
次に、図１に示した無線装置２と対向する対向無線装置７内の無線処理部８の内部構成について、図５を用いて詳細に説明する。図５は、図１に示した対向無線装置７内の無線処理部８の内部構成の一例を示すブロック構成図である。前述したように、図５の対向無線装置７内の無線処理部８も、図２の無線処理部４と全く同様の構成からなっている。
【００７５】
すなわち、図５に示す無線処理部８は、ディジタル信号処理部９とアンテナ６との間に介在していて、図２の無線処理部２の内部構成と同様、複信方式判定切替制御部４０１、ＦＤＤ送信部４０２、ＴＤＤ送信部４０３、ＴＤＤ受信部４０４、ＦＤＤ受信部４０５、複信方式切替スイッチ部４０６、デュプレクサ４０７、ＧＰＳアンテナ４０８、ＴＤＤ同期制御部４０９、制御ヘッダ多重部４１０、制御ヘッダ抽出部４１１、スイッチ４１２、スイッチ４１３、ＦＤＤ受信周波数帯選択スイッチ４１４、ＴＤＤ送受信切替スイッチ４１５、を少なくとも備えて構成されている。
【００７６】
図５に示す無線処理部８の各部位は、それぞれ、図２の無線処理部２における複信方式判定切替制御部１０１、ＦＤＤ送信部１０２、ＴＤＤ送信部１０３、ＴＤＤ受信部１０４、ＦＤＤ受信部１０５、複信方式切替スイッチ部１０６、デュプレクサ１０７、ＧＰＳアンテナ１０８、ＴＤＤ同期制御部１０９、制御ヘッダ多重部１１０、制御ヘッダ抽出部１１１、スイッチ１１２、スイッチ１１３、ＦＤＤ受信周波数帯選択スイッチ１１４、ＴＤＤ送受信切替スイッチ１１５と全く同様の機能を有しているものであり、ここでの重複する説明は省略する。
【００７７】
（無線処理部８内の複信方式判定切替制御部４０１の内部構成例）
次に、図５に示した対向無線装置７内の無線処理部８の中に備えた複信方式判定切替制御部４０１の内部構成について、図６を用いて詳細に説明する。図６は、図５に示した無線処理部７内の複信方式判定切替制御部４０１の内部構成の一例を示すブロック構成図である。前述したように、図６の対向無線装置７内の無線処理部８中に備えた複信方式判定切替制御部４０１も、図３の複信方式判定切替制御部１０１と全く同様の構成からなっている。
【００７８】
図６に示す複信方式判定切替制御部４０１は、図５に示したように、無線回線の回線品質を監視するための制御ヘッダＳ４０１を制御ヘッダ多重部４１０に対して出力するとともに、制御ヘッダ抽出部４１１からの同期信号検出結果Ｓ４１３および複信方式情報Ｓ４１４とＦＤＤ受信部４０５からの出力データ信号Ｓ４１１とに基づいて、無線回線の無線状態を判別し、その判別結果を、無線状態判別信号Ｓ４０３としてスイッチ４１２に対して出力し、ＦＤＤ受信周波数帯選択制御信号Ｃ４０１としてＦＤＤ受信周波数帯選択スイッチ４１４に対して出力し、スイッチ切替制御信号Ｃ４０２として、複信方式切替スイッチ部４０６、スイッチ４１２およびスイッチ４１３に対して出力する。
【００７９】
図６に示すように、複信方式判定切替制御部４０１は、中央処理制御部５０１、無線状態判別信号抽出部５０２を少なくとも備えて構成されている。図６に示す複信方式判定切替制御部４０１の各部位は、それぞれ、図３の複信方式判定切替制御部１０１における中央処理制御部２０１、無線状態判別信号抽出部２０２と全く同様の機能を有しているものであり、ここでの重複する説明は省略する。
【００８０】
（無線処理部８内の複信方式切替スイッチ部４０６の内部構成例）
次に、図５に示した対向無線装置７内の無線処理部８の中に備えた複信方式切替スイッチ部４０６の内部構成について、図７を用いて詳細に説明する。図７は、図５に示した無線処理部８内の複信方式切替スイッチ部４０６の内部構成の一例を示すブロック構成図である。前述したように、図７の対向無線装置７内の無線処理部８中に備えた複信方式切替スイッチ部４０６も、図３の複信方式切替スイッチ部１０６と全く同様の構成からなっている。
【００８１】
図７に示す複信方式切替スイッチ部４０６は、図５に示したように、複信方式判定切替制御部４０１からのスイッチ切替制御信号Ｃ４０２に基づいて、ＦＤＤ送信部４０２からの無線処理信号Ｓ４０５またはＴＤＤ送信部４０３からの無線処理信号Ｓ４１５のいずれかを選択して、周波数帯ｆ１無線処理送信信号Ｓ４０６および周波数帯ｆ２無線処理送信信号Ｓ４０７として、または、時間的に区切られた周波数帯ｆ１無線処理送信信号Ｓ４０６または周波数帯ｆ２無線処理送信信号Ｓ４０７として、デュプレクサ４０７に対して出力する。さらに、複信方式切替スイッチ部４０６は、デュプレクサ４０７からの逆方向の周波数帯ｆ１無線処理受信信号Ｓ４０８または周波数帯ｆ２無線処理受信信号Ｓ４０９を受け取った場合、複信方式判定切替制御部４０１からのスイッチ切替制御信号Ｃ４０２に基づいて、時間的に区切られた周波数帯ｆ１無線処理受信信号Ｓ４０８または周波数帯ｆ２無線処理受信信号Ｓ４０９を、無線処理信号Ｓ４１７として、ＴＤＤ受信部４０４に対して出力する。
【００８２】
図７に示すように、複信方式切替スイッチ部４０６は、周波数帯ｆ１送信複信方式切替スイッチ６０１、周波数帯ｆ２送信複信方式切替スイッチ６０２、ＴＤＤ受信周波数帯切替スイッチ６０３、および、サーキュレータ６０４を少なくとも備えて構成されている。図７に示す複信方式切替スイッチ部４０６の各部位は、それぞれ、図４の複信方式切替スイッチ部１０６における周波数帯ｆ１送信複信方式切替スイッチ３０１、周波数帯ｆ２送信複信方式切替スイッチ３０２、ＴＤＤ受信周波数帯切替スイッチ３０３、および、サーキュレータ３０４と全く同様の機能を有しているものであり、ここでの重複する説明は省略する。
【００８３】
（実施形態の動作の説明）
次に、図１に示した無線通信システムの動作の一例について、無線回線の品質低下の一例として無線回線断状態が発生した場合の複信方式の切り替え動作を例に採って、図２ないし図７に示した無線装置２、対向無線装置７の各内部構成を参照しながら、図８、図９に示すフローチャートを用いて詳細に説明する。
【００８４】
図８は、図１に示した無線通信システムにおいて無線回線断状態が発生した場合の動作の一例を示すフローチャートであり、無線装置２、対向無線装置７間の無線通信の複信方式を通常時のＦＤＤ方式からＴＤＤ方式に切り替える動作について示している。また、図９は、図１に示した無線通信システムにおいて無線回線断状態から回復した場合の動作の一例を示すフローチャートであり、無線装置２、対向無線装置７間の無線通信の複信方式をＴＤＤ方式から通常時のＦＤＤ方式に切り戻す動作について示している。
【００８５】
なお、ここでは、無線回線の品質低下の一例として、無線回線断状態が発生した場合を例に採って説明するが、無線回線の回線品質があらかじめ定めた低下閾値以下に低下して、再送動作が頻発し、通信速度が著しく低下して、例えば双方向の音声通話に支障が生ずるような事態に陥った場合であっても、全く同様の動作を行うことができることは言うまでもない。
【００８６】
（無線回線断状態発生時の動作例）
まず、図８のフローチャートを用いて、図１の無線システムにおいて、無線回線断状態が発生して、無線通信システムの複信方式をＦＤＤ方式からＴＤＤ方式に切り替える場合の動作について説明する。ここでは、無線通信システムの通常時の複信方式としてＦＤＤ方式を用い、無線伝送周波数帯ｆ１の帯域を使って無線装置２が接続されたアンテナ５から対向無線装置７が接続されたアンテナ６の方向への通信を行い、無線伝送周波数帯ｆ２の帯域を使って対向無線装置７が接続されたアンテナ６から無線装置２が接続されたアンテナ５の方向への通信を行っている場合において、無線伝送周波数帯ｆ１の帯域に干渉等が発生して、無線伝送周波数帯ｆ１の帯域が使用できなくなり、無線回線断状態に陥った場合について説明する。
【００８７】
対向無線装置７の無線処理部８内の制御ヘッダ抽出部４１１は、常時、スイッチ４１３からの出力データ信号Ｓ４１２に含まれている制御ヘッダを抽出する動作を行っている（ステップＡ１０１）。しかし、無線伝送周波数帯ｆ１の帯域が無線回線断状態に陥ると、対向無線装置７の無線処理部８内の制御ヘッダ抽出部４１１において、スイッチ４１３からの出力データ信号Ｓ４１２から同期信号を検出することができなくなり、該出力データ信号Ｓ４１２に含まれている制御ヘッダを抽出することができなくなる。
【００８８】
制御ヘッダ抽出部４１１は、出力データ信号Ｓ４１２に含まれている制御ヘッダを抽出することができなくなると（ステップＡ１０１のＮＯ）、複信方式判定切替制御部４０１内の中央処理制御部５０１に対して同期信号検出結果Ｓ４１３が未検出であり、複信方式情報Ｓ４１４が判定不可である旨を送信する。
【００８９】
複信方式判定切替制御部４０１内の中央処理制御部５０１は、同期信号検出結果Ｓ４１３が未検出、複信方式情報Ｓ４１４が判定不可である旨を受信すると、無線伝送周波数帯ｆ１が無線回線断状態になり、無線通信不可の状態に陥っているものと判断する。そこで、中央処理制御部５０１は、無線伝送周波数帯ｆ１が無線通信不可の状態に陥っているものと判断すると、まず、使用する複信方式をＦＤＤ方式からＴＤＤ方式に切り替えるための複信方式切替信号を相手側の無線装置２に送信するために、制御ヘッダＳ４０１の生成処理を実行して、無線装置２に対して送信するための制御ヘッダＳ４０１に含まれている複信方式情報をＦＤＤ方式からＴＤＤ方式に切り替えた制御ヘッダＳ４０１を生成する。
【００９０】
しかる後、中央処理制御部５０１は、複信方式切替信号としてＦＤＤ方式からＴＤＤ方式に切り替えた複信方式情報を含む制御ヘッダＳ４０１を制御ヘッダ多重部４１０に対して送信する。制御ヘッダ多重部４１０は、中央処理制御部５０１から送られてきた制御ヘッダＳ４０１を受信すると、該制御ヘッダＳ４０１を、ディジタル信号処理部９から送られてくる出力データ信号Ｓ１０に多重する。制御ヘッダ多重部４１０は、ＦＤＤ方式からＴＤＤ方式に切り替えた複信方式情報を含む制御ヘッダＳ４０１が多重された制御ヘッダ多重データ信号Ｓ４０２をスイッチ４１２に対して送信する。
【００９１】
ここで、本実施例においては、対向無線装置７の現在の複信方式がＦＤＤ方式であるので、スイッチ４１２は、制御ヘッダ多重部４１０から入力される制御ヘッダ多重データ信号Ｓ４０２を選択して、出力データ信号Ｓ４０４としてＦＤＤ送信部４０２に対して送信する。ＦＤＤ送信部４０２は、制御ヘッダ多重部４１０からスイッチ４１２を通って送られてきた出力データ信号Ｓ４０４を受信すると、無線伝送を行うために必要な前述したような処理を行う。ＦＤＤ送信部４０２は、無線伝送を行うための処理が施された無線処理信号Ｓ４０５を複信方式切替スイッチ部４０６に対して送信する。
【００９２】
本実施例においては、対向無線装置７の現在の複信方式がＦＤＤ方式であるので、複信方式切替スイッチ部４０６の内部にある周波数帯ｆ２送信複信方式切替スイッチ６０２は、ＦＤＤ送信部４０２から入力される無線処理信号Ｓ４０５を選択して、周波数帯ｆ２無線処理送信信号Ｓ４０７として、デュプレクサ４０７に対して送信する。デュプレクサ４０７は、複信方式切替スイッチ部４０６内の周波数帯ｆ２送信複信方式切替スイッチ６０２を通って送られてきた周波数帯ｆ２無線処理送信信号Ｓ４０７を受信すると、無線伝送周波数帯ｆ２によってフィルタリングをかける。
【００９３】
しかる後、デュプレクサ４０７は、無線伝送周波数帯ｆ２によってフィルタリングをかけた無線処理信号Ｓ６をアンテナ６に対して送信する。アンテナ６は、デュプレクサ４０７から送られてきた無線処理信号Ｓ６を、無線伝送周波数帯ｆ２を用いたＦＤＤ方式によって無線伝送して、相手側の無線装置２が接続されているアンテナ５に対して送信する（ステップＡ１０２）。
【００９４】
さらに、対向無線装置７の複信方式判定切替制御部４０１内の中央処理制御部５０１は、無線伝送周波数帯ｆ２を用いたＦＤＤ方式によって無線処理信号Ｓ６を無線伝送して、相手側の無線装置２が接続されているアンテナ５に対して送信した動作が終了すると、当該対向無線装置７の複信方式をＦＤＤ方式からＴＤＤ方式に切り替えるために、スイッチ切替制御信号Ｃ４０２をＦＤＤ方式からＴＤＤ方式に切り替える。中央処理制御部５０１は、ＦＤＤ方式からＴＤＤ方式に切り替えたスイッチ切替制御信号Ｃ４０２を複信方式切替スイッチ部４０６、スイッチ４１２およびスイッチ４１３に対して送信する。
【００９５】
複信方式切替スイッチ部４０６は、ＴＤＤ方式に切り替えられたスイッチ切替制御信号Ｃ４０２を中央処理制御部５０１から受信すると、複信方式切替スイッチ部４０６の内部にある周波数帯ｆ１送信複信方式切替スイッチ６０１、周波数帯ｆ２送信複信方式切替スイッチ６０２、および、ＴＤＤ受信周波数帯切替スイッチ６０３の各スイッチに対してＴＤＤ方式に切り替えられたスイッチ切替制御信号Ｃ４０２を送信する。周波数帯ｆ２送信複信方式切替スイッチ６０２は、ＴＤＤ方式に切り替えられたスイッチ切替制御信号Ｃ４０２を受信すると、今までＦＤＤ送信部４０２からの無線処理信号Ｓ４０５を選択していた状態を切り替えて、サーキュレータ６０４から入力されてくる無線処理信号Ｓ６０２を選択して、周波数帯ｆ２無線処理送信信号Ｓ４０７として、デュプレクサ４０７に対して送信する。
【００９６】
また、ＴＤＤ受信周波数帯切替スイッチ６０３は、ＴＤＤ方式に切り替えられたスイッチ切替制御信号Ｃ４０２を中央処理制御部５０１から受信すると、逆方向の信号としてデュプレクサ４０７から入力されてくる信号のうち、良好な通信品質の周波数帯ｆ２無線処理受信信号Ｓ４０９を選択して、無線処理信号Ｓ６０１として、サーキュレータ６０４に対して送信する。
【００９７】
また、スイッチ４１２は、ＴＤＤ方式に切り替えられたスイッチ切替制御信号Ｃ４０２を中央処理制御部５０１から受信すると、今まで制御ヘッダ多重部４１０からの制御ヘッダ多重データ信号Ｓ４０２を選択していた状態を切り替えて、複信方式判定切替制御部４０１からの無線状態判別信号Ｓ４０３を選択して、出力データ信号Ｓ４０４として、ＦＤＤ送信部４０２に対して送信する。
【００９８】
また、スイッチ４１３は、ＴＤＤ方式に切り替えられたスイッチ切替制御信号Ｃ４０２を中央処理制御部５０１から受信すると、今までＦＤＤ受信部４０５からの出力データ信号Ｓ４１１を選択していた状態を切り替えて、ＴＤＤ受信部４０４からの出力データ信号Ｓ４１８を選択して、出力データ信号Ｓ４１２として制御ヘッダ抽出部４１１に対して送信する。以上の動作を実行することによって、対向無線装置７は、無線通信システムの複信方式をＦＤＤ方式からＴＤＤ方式に切り替える(ステップＡ１０３)。
【００９９】
次に、対向無線装置７と対向している相手側の無線装置２の動作について説明する。対向無線装置７と対向している相手側の無線装置２が接続されているアンテナ５は、対向無線装置７が接続されたアンテナ６から、無線伝送周波数帯ｆ２を用いて無線伝送されてきた無線処理信号Ｓ６を受信する。アンテナ５は、受信した無線処理信号Ｓ６を、無線処理信号Ｓ３として、デュプレクサ１０７に対して送信する。デュプレクサ１０７は、アンテナ５から送られてきた無線処理信号Ｓ３を受信すると、無線伝送周波数帯ｆ２によってフィルタリングをかける。デュプレクサ１０７は、無線伝送周波数帯ｆ２によってフィルタリングをかけた周波数帯ｆ２無線処理受信信号Ｓ１０９を、ＦＤＤ受信周波数帯選択スイッチ１１４に対して送信する。
【０１００】
ここで、本実施例においては、無線装置２の現在の複信方式がＦＤＤ方式であるので、ＦＤＤ受信周波数帯選択スイッチ１１４は、デュプレクサ１０７からの周波数帯ｆ２無線処理受信信号Ｓ１０９を選択して、出力信号Ｓ１１０として、ＦＤＤ受信部１０５に対して送信するように動作する。ＦＤＤ受信部１０５は、ＦＤＤ受信周波数帯選択スイッチ１１４から送られてきた出力信号Ｓ１１０を受信すると、前述したような必要な受信処理を行う。ＦＤＤ受信部１０５は、受信処理が施された出力データ信号Ｓ１１１をスイッチ１１３に対して送信する。
【０１０１】
本実施例においては、無線装置２の現在の複信方式がＦＤＤ方式であるので、スイッチ１１３は、ＦＤＤ受信部１０５からの出力データ信号Ｓ１１１を選択して、出力データ信号Ｓ１１２として、制御ヘッダ抽出部１１１に対して送信する。制御ヘッダ抽出部１１１は、スイッチ１１３から送られてきた出力データ信号Ｓ１１２を受信すると、受信した出力データ信号Ｓ１１２を解析して、該出力データ信号Ｓ１１２に多重して含まれている制御ヘッダ（相手側の対向無線装置７から送信されてきた制御ヘッダ）を抽出する(ステップＡ１０４)。
【０１０２】
さらに、制御ヘッダ抽出部１１１は、抽出した制御ヘッダから同期信号と複信方式情報とを解析する。その結果、相手側の対向無線装置７においては、当該無線装置２側から無線伝送周波数帯ｆ１を用いて無線伝送した信号に関して、同期信号が未検出であり、複信方式が不明になっている旨を送信してきたものと判別する。したがって、制御ヘッダ抽出部１１１は、同期信号検出結果Ｓ１１３が未検出、複信方式情報Ｓ１１４が未判定である旨を複信方式判定切替制御部１０１内部にある中央処理制御部２０１に対して送信する。
【０１０３】
中央処理制御部２０１は、同期信号検出結果Ｓ１１３が未検出、複信方式情報Ｓ１１４が未判定の旨を制御ヘッダ抽出部１１１から受信すると、今までの複信方式を切り替えることを指示する複信方式切替信号が、対向無線装置７から送信されてきたものとして認識する（ステップＡ１０５）。つまり、中央処理制御部２０１は、対向無線装置７に向けて無線伝送していた無線伝送周波数帯ｆ１の無線回線断状態が発生して、無線通信が不可の状態に陥っているものと判断する。
【０１０４】
中央処理制御部２０１は、ＦＤＤ方式として送信用に使用していた無線伝送周波数帯ｆ１の無線通信が不可の状態に陥って、ＦＤＤ方式からＴＤＤ方式への複信方式の切り替えを指示する複信方式切替信号が受信されているものと判断すると（ステップＡ１０５の'ＴＤＤ'の場合）、当該無線装置２の無線通信システムの複信方式を、無線伝送周波数帯ｆ１と無線伝送周波数帯ｆ２とを用いて今までデータ送受信を行っていたＦＤＤ方式から、無線通信が可能な無線伝送周波数帯ｆ２を用いたＴＤＤ方式に切り替えるために、スイッチ切替制御信号Ｃ１０２を、ＦＤＤ方式からＴＤＤ方式に切り替えて、複信方式切替スイッチ部１０６、スイッチ１１２およびスイッチ１１３に対して送信する。
【０１０５】
複信方式切替スイッチ部１０６は、ＴＤＤ方式に切り替えられたスイッチ切替制御信号Ｃ１０２を中央処理制御部２０１から受信すると、複信方式切替スイッチ部１０６の内部にある周波数帯ｆ１送信複信方式切替スイッチ３０１、周波数帯ｆ２送信複信方式切替スイッチ３０２、および、ＴＤＤ受信周波数帯切替スイッチ３０３の各スイッチに対してスイッチ切替制御信号Ｃ１０２を送信する。周波数帯ｆ２送信複信方式切替スイッチ３０２は、ＴＤＤ方式に切り替えられたスイッチ切替制御信号Ｃ１０２を受信すると、今までＦＤＤ送信部１０２からの無線処理信号Ｓ１０５を選択していた状態を切り替えて、サーキュレータ３０４から入力されてくる無線処理信号Ｓ３０２を選択して、周波数帯ｆ２無線処理送信信号Ｓ１０７として、デュプレクサ１０７に対して送信する。
【０１０６】
また、ＴＤＤ受信周波数帯切替スイッチ６０３は、ＴＤＤ方式に切り替えられたスイッチ切替制御信号Ｃ１０２を中央処理制御部２０１から受信すると、逆方向の信号としてデュプレクサ１０７から入力されてくる周波数帯ｆ２無線処理受信信号Ｓ１０９を選択して、無線処理信号Ｓ３０１として、サーキュレータ３０４に対して送信する。
【０１０７】
また、スイッチ１１２は、ＴＤＤ方式に切り替えられたスイッチ切替制御信号Ｃ１０２を中央処理制御部２０１から受信すると、今まで制御ヘッダ多重部１１０からの制御ヘッダ多重データ信号Ｓ１０２を選択していた状態を切り替えて、複信方式判定切替制御部１０１からの無線状態判別信号Ｓ１０３を選択して、出力データ信号Ｓ１０４として、ＦＤＤ送信部１０２に対して送信する。
【０１０８】
また、スイッチ１１３は、ＴＤＤ方式に切り替えられたスイッチ切替制御信号Ｃ１０２を中央処理制御部２０１から受信すると、今までＦＤＤ受信部１０５からの出力データ信号Ｓ１１１を選択していた状態を切り替えて、ＴＤＤ受信部１０４からの出力データ信号Ｓ１１８を選択して、出力データ信号Ｓ１１２として制御ヘッダ抽出部１１１に対して送信する。以上の動作を実行することによって、無線装置２は、無線通信システムの複信方式をＦＤＤ方式からＴＤＤ方式に切り替える(ステップＡ１０６)。
【０１０９】
さらに、無線装置２の複信方式判定切替制御部１０１内の中央処理制御部２０１は、当該無線装置２の無線処理部４の複信方式をＦＤＤ方式からＴＤＤ方式への切り替えが完了すると、使用する複信方式を切り替えたことを示す複信方式切替信号を相手側の対向無線装置７に送信するために、制御ヘッダＳ１０１の生成処理を実行して、対向無線装置７に対して送信するための制御ヘッダＳ１０１に含まれている複信方式情報をＦＤＤ方式からＴＤＤ方式に切り替えた制御ヘッダＳ１０１を生成する。
【０１１０】
しかる後、中央処理制御部２０１は、複信方式情報をＦＤＤ方式からＴＤＤ方式に切り替えた制御ヘッダＳ１０１を制御ヘッダ多重部１１０に対して送信する。制御ヘッダ多重部１１０は、中央処理制御部２０１から送られてきた制御ヘッダＳ１０１を受信すると、ディジタル信号処理部３から送られてくる出力データ信号Ｓ２に多重する。制御ヘッダ多重部１１０は、ＦＤＤ方式からＴＤＤ方式に切り替えた複信方式情報を含む制御ヘッダＳ１０１が多重された制御ヘッダ多重データ信号Ｓ１０２を、今までのスイッチ１１２に対してではなく、ＴＤＤ送信部１０３に対して送信する。
【０１１１】
ＴＤＤ送信部１０３は、制御ヘッダ多重部１１０から送られてきた制御ヘッダ多重データ信号Ｓ１０２を受信すると、無線伝送を行うために必要な前述したような処理を行う。ＴＤＤ送信部１０３は、無線伝送を行うための処理が施された無線処理信号Ｓ１１５をＴＤＤ送受信切替スイッチ１１５に対して送信する。
【０１１２】
ＴＤＤ送受信切替スイッチ１１５は、ＴＤＤ同期制御部１０９からの送受信切替制御信号Ｃ１によってＴＤＤ方式のデータの送受信切替動作が制御されている。ＴＤＤ送受信切替スイッチ１１５は、ＴＤＤ送信部１０３から送られてきた無線処理信号Ｓ１１５を、ＴＤＤ同期制御部１０９からの送受信切替制御信号Ｃ１によって切り替わる送受信タイミングに合わせて、無線処理信号Ｓ１１６として、複信方式切替スイッチ部１０６に対して送信する。
【０１１３】
ここで、本実施例においては、無線装置２の複信方式はＦＤＤ方式から無線伝送周波数帯ｆ２を用いたＴＤＤ方式に切り替わっているので、複信方式切替スイッチ部１０６は、ＴＤＤ送受信切替スイッチ１１５から送られてきた無線処理信号Ｓ１１６を受信すると、デュプレクサ１０７に伝送するために、信号線の切替処理を行う。複信方式切替スイッチ部１０６は、信号線の切替処理を行い、ＦＤＤ送信部１０２からの無線処理信号Ｓ１０５を周波数帯ｆ１送信複信方式切替スイッチ３０１を介してデュプレクサ１０７に対して送信する今までの動作を切り替えて、ＴＤＤ送受信切替スイッチ１１５からの無線処理信号Ｓ１１６がサーキュレータ３０４を介して無線処理信号Ｓ３０２として入力されて、周波数帯ｆ２送信複信方式切替スイッチ３０２から出力される周波数帯ｆ２無線処理送信信号Ｓ１０７を、デュプレクサ１０７に対して送信する。
【０１１４】
デュプレクサ１０７は、複信方式切替スイッチ部１０６内の周波数帯ｆ２送信複信方式切替スイッチ３０２を通って送られてきた周波数帯ｆ２無線処理送信信号Ｓ１０７を受信すると、無線伝送周波数帯ｆ２によってフィルタリングをかける。
【０１１５】
しかる後、デュプレクサ１０７は、無線伝送周波数帯ｆ２によってフィルタリングをかけた無線処理信号Ｓ３をアンテナ５に対して送信する。アンテナ５は、デュプレクサ１０７から送られてきた無線処理信号Ｓ３を、無線伝送周波数帯ｆ２を用いたＴＤＤ方式によって無線伝送して、相手側の対向無線装置７が接続されているアンテナ６に対して送信する（ステップＡ１０７）。
【０１１６】
次に、無線回線断状態を検出して複信方式をＴＤＤ方式に切り替えた状態にある対向無線装置７側が、複信方式の切り替えの指示を送信した相手側の無線装置２から無線伝送周波数帯ｆ２を用いたＴＤＤ方式によって無線伝送されてきた無線処理信号Ｓ６を受信した際の対向無線装置７の動作について説明する。無線装置２と対向している相手側の対向無線装置７が接続されているアンテナ６は、無線装置２が接続されたアンテナ５から、無線伝送周波数帯ｆ２を用いて無線伝送されてきた無線処理信号Ｓ３を受信する。アンテナ６は、受信した無線処理信号Ｓ３を、無線処理信号Ｓ６として、デュプレクサ４０７に対して送信する。デュプレクサ４０７は、アンテナ６から送られてきた無線処理信号Ｓ６を受信すると、無線伝送周波数帯ｆ２によってフィルタリングをかける。デュプレクサ４０７は、無線伝送周波数帯ｆ２によってフィルタリングをかけた周波数帯ｆ２無線処理受信信号Ｓ４０９を、複信方式切替スイッチ部４０６に対して送信する。
【０１１７】
ここで、本実施例においては、対向無線装置７の複信方式がＦＤＤ方式からＴＤＤ方式に切り替わっているので、複信方式切替スイッチ部４０６は、デュプレクサ４０７から送られてきた周波数帯ｆ２無線処理受信信号Ｓ４０９を受信すると、ＴＤＤ送受信切替スイッチ４１５に対して伝送するために、信号線の切替処理を行う。複信方式切替スイッチ部１０６は、信号線の切替処理を行い、デュプレクサ４０７から送られてきた周波数帯ｆ２無線処理受信信号Ｓ４０９がＴＤＤ受信周波数帯切替スイッチ６０３から無線処理信号Ｓ６０１としてサーキュレータ６０４に入力されて、選択していない伝送データの流れ込みを防ぐことにより、サーキュレータ６０４から、無線処理信号Ｓ４１６として、ＴＤＤ送受信切替スイッチ４１５に対して送信する。
【０１１８】
ＴＤＤ送受信切替スイッチ４１５は、複信方式切替スイッチ部４０６から送られてきた無線処理信号Ｓ４１６を、ＴＤＤ同期制御部４０９からの送受信切替制御信号Ｃ２によって切り替わる送受信タイミングに合わせて、無線処理信号Ｓ４１７として、ＴＤＤ受信部４０４に対して送信する。ＴＤＤ受信部４０４は、ＴＤＤ送受信切替スイッチ４１５から送られてきた無線処理信号Ｓ４１７を受信すると、前述したような必要な受信処理を行う。ＴＤＤ受信部４０４は、受信処理が施された出力データ信号Ｓ４１８をスイッチ４１３に対して送信する。
【０１１９】
本実施例においては、対向無線装置７の複信方式が既にＴＤＤ方式に切り替わっているので、スイッチ４１３は、ＴＤＤ受信部４０４から入力されてくる出力データ信号Ｓ４１８を選択して、出力データ信号Ｓ４１２として、制御ヘッダ抽出部４１１に対して送信する。制御ヘッダ抽出部４１１は、スイッチ４１３から送られてきた出力データ信号Ｓ４１２を受信すると、受信した出力データ信号Ｓ４１２を解析して、該出力データ信号Ｓ４１２に多重して含まれている制御ヘッダ（相手側の無線装置２から送信されてきた制御ヘッダ）を抽出することができたかチェックする(ステップＡ１０８)。
【０１２０】
制御ヘッダ抽出部４１１は、相手側の無線装置２に対して複信方式の切り替えを指示する制御ヘッダ（複信方式切替信号）を送信した後あらかじめ定めた一定時間経過した後も、制御ヘッダ（相手側の無線装置２から送信されてきた制御ヘッダ）を抽出することができなかった場合は（ステップＡ１０８の'ＴｉｍｅＯｕｔ'の場合）、当該対向無線装置７の複信方式をＴＤＤ方式からＦＤＤ方式に切り替えた後(ステップＡ１１１)、ステップＡ１０２に移行して、再度、複信方式の切り替え（ＦＤＤ方式からＴＤＤ方式への切り替え）を指示する制御ヘッダ（複信方式切替信号）を生成する処理を繰り返し、相手側の無線装置２に対して、該制御ヘッダの再送処理を行う。
【０１２１】
一方、制御ヘッダ抽出部４１１は、スイッチ４１３からの出力データ信号Ｓ４１２に多重して含まれている制御ヘッダ（相手側の無線装置２から送信されてきた制御ヘッダ）を抽出することができた場合には（ステップＡ１０８の'受信'の場合）、抽出した制御ヘッダから同期信号と複信方式情報とを解析する。その結果として、制御ヘッダ抽出部４１１は、同期信号を検出すると、相手側の無線装置２においては、当該対向無線装置７側から無線伝送周波数帯ｆ２を用いて無線伝送した信号に関して、同期信号を検出したということを示す同期信号検出結果Ｓ４１３を生成して、複信方式判定切替制御部４０１内部にある中央処理制御部５０１に対して送信する。さらに、制御ヘッダ抽出部４１１は、複信方式情報を解析して、相手側の無線装置２においても複信方式をＴＤＤ方式に切り替えたということを示す複信方式情報Ｓ４１４を生成して、複信方式判定切替制御部４０１内部にある中央処理制御部５０１に対して送信する。
【０１２２】
中央処理制御部５０１は、同期信号検出結果Ｓ４１３および複信方式情報Ｓ４１４を制御ヘッダ抽出部４１１から受信して、受信した同期信号検出結果Ｓ４１３として相手側の無線装置２側で同期信号が検出され、かつ、受信した複信方式情報Ｓ４１４として相手側の無線装置２側もＴＤＤ方式に切り替えた状態に設定されていた場合には（ステップＡ１０９の'ＴＤＤ'の場合）、対向無線装置７および無線装置２の双方において無線通信システムの複信方式のＦＤＤ方式からＴＤＤ方式への切り替えが完了したものと判断する。
【０１２３】
なお、受信した同期信号検出結果Ｓ４１３として相手側の無線装置２側で同期信号が未検出であるか、または、受信した複信方式情報Ｓ４１４として相手側の無線装置２側がＴＤＤ方式に設定されていなかった場合には（ステップＡ１０９の'ＦＤＤ'の場合）、ステップＡ１０２に移行して、再度、複信方式の切り替え（ＦＤＤ方式からＴＤＤ方式への切り替え）を指示する制御ヘッダ（複信方式切替信号）を生成する処理を繰り返し、相手側の無線装置２に対して、該制御ヘッダの再送処理を行う。
【０１２４】
また、相手側の無線装置２においては、ステップＡ１０７において、無線処理信号Ｓ３を相手側の対向無線装置７対して送信すると、中央処理制御部２０１は、無線通信システムの複信方式のＦＤＤ方式からＴＤＤ方式への切り替えが完了したものとして、ＴＤＤ方式への切り替え後の無線通信システムの無線伝送周波数帯ｆ１の無線状態を監視するため、無線伝送周波数帯ｆ１を用いた無線状態判別信号Ｓ１０３を定期的に生成して、スイッチ１１２に対して送信することにより、該無線状態判別信号Ｓ１０３を相手側の対向無線装置７に対して送信している（ステップＡ１１０）、なお、対向無線装置７においても、中央処理制御部５０１は、ステップＡ１０９において、無線通信システムの複信方式のＦＤＤ方式からＴＤＤ方式への切り替えが完了したものと判断すると、ＴＤＤ方式への切り替え後の無線通信システムの無線伝送周波数帯ｆ１の無線状態を監視するため、無線伝送周波数帯ｆ１を用いた無線状態判別信号Ｓ４０３を定期的に生成して、スイッチ４１２に対して送信することにより、該無線状態判別信号Ｓ４０３を相手側の無線装置２に対して送信するようにしても良い。
【０１２５】
以上の手順によって、無線回線断状態が発生して、双方向の無線通信が不可能な状態に陥った場合には、無線通信システムの複信方式をＦＤＤ方式からＴＤＤ方式への切り替えを確実に実施することができる。
【０１２６】
（無線回線断状態から回復時の動作例）
次に、図９のフローチャートを用いて、図１の無線システムにおいて、干渉などが解消して、発生していた無線回線断状態から良好な無線回線状態に回復して、無線通信システムの複信方式をＴＤＤ方式からＦＤＤ方式に切り戻す場合の動作について説明する。ここでは、無線通信システムの通常の複信方式としてＦＤＤ方式を用いていたものの、無線装置２が接続されたアンテナ５から対向無線装置７が接続されたアンテナ６の方向への通信に用いる無線伝送周波数帯ｆ１の帯域に干渉等が発生して、無線伝送周波数帯ｆ１の帯域が使用できない無線回線断状態に陥ったために、使用可能な残りの無線伝送周波数帯ｆ２の帯域を用いたＴＤＤ方式に切り替えて双方向の無線通信を行っていた状態から、無線伝送周波数帯ｆ１の帯域に干渉等がなくなり、無線伝送周波数帯ｆ１の帯域が使用可能な状態に回復した場合について説明する。
【０１２７】
なお、無線伝送周波数帯ｆ１の帯域が使用可能な状態に回復した場合には、無線伝送周波数帯ｆ１の帯域を使って無線装置２が接続されたアンテナ５から対向無線装置７が接続されたアンテナ６の方向への通信を行い、無線伝送周波数帯ｆ２の帯域を使って対向無線装置７が接続されたアンテナ６から無線装置２が接続されたアンテナ５の方向への通信を行う状態に復旧させるものとする。
【０１２８】
図１の無線通信システムにおいては、前述したように、複信方式としてＦＤＤ方式を用いて無線装置２と対向無線装置７との間の無線通信を行っていた場合に、無線装置２から対向無線装置７に対して送信するデータ用に用いていた無線伝送周波数帯ｆ１の帯域が、干渉等が発生して無線回線断状態に陥っているため、使用できなくなり、図８のフローチャートに記載した手順に従って、複信方式をＦＤＤ方式からＴＤＤ方式に切り替えて、干渉を受けていない無線伝送周波数帯ｆ２を用いた双方向通信を行っている。
【０１２９】
また、図８のフローチャートのステップＡ１１０にて説明したように、無線装置２内の無線処理部４は、ＴＤＤ方式への切り替え後の無線通信システムにおいて、無線回線断状態になっている無線伝送周波数帯ｆ１を監視するために、無線伝送周波数帯ｆ１を使って無線状態判別信号Ｓ１０３を、定期的に、相手側の対向無線装置７内の無線処理部８に対して送信している。
【０１３０】
無線伝送周波数帯ｆ１に発生していた干渉等が解消し、無線伝送周波数帯ｆ１が、無線回線断状態から使用可能な状態に回復すると、対向無線装置７に接続されているアンテナ６は、相手側の無線装置２が接続されているアンテナ５から送信されてきた無線処理信号Ｓ３を受信した場合に、受信した該無線処理信号Ｓ３のいずれかには、相手側の無線装置２内の無線処理部４から無線伝送周波数帯ｆ１を使って定期的に送信されていた無線状態判別信号Ｓ１０３が含まれていることになる。
【０１３１】
アンテナ６は、受信した無線処理信号Ｓ３を、無線処理信号Ｓ６として、デュプレクサ４０７に対して送信する。デュプレクサ４０７は、アンテナ６から送られてきた無線処理信号Ｓ６を受信すると、無線伝送周波数帯ｆ１を使って定期的に送信されてくる無線状態判別信号Ｓ１０３を抽出するために、無線伝送周波数帯ｆ１によってフィルタリングをかける。デュプレクサ４０７は、無線伝送周波数帯ｆ１によってフィルタリングをかけた周波数帯ｆ１無線処理受信信号Ｓ４０８を、ＦＤＤ受信周波数帯選択スイッチ４１４に対して送信する。
【０１３２】
ここで、本実施例においては、対向無線装置７の複信方式がＴＤＤ方式に設定されているので、ＦＤＤ受信周波数帯選択スイッチ４１４は、デュプレクサ４０７から送信されてくる信号のうち、周波数帯ｆ１無線処理受信信号Ｓ４０８を選択して、出力信号Ｓ４１０として、ＦＤＤ受信部４０５に対して送信するように動作する。ＦＤＤ受信部４０５は、ＦＤＤ受信周波数帯選択スイッチ４１４から送られてきた出力信号Ｓ４１０を受信すると、前述したような必要な受信処理を行う。ＦＤＤ受信部４０５は、受信処理が施された出力データ信号Ｓ４１１を複信方式判定切替制御部４０１内部にある無線状態判別信号抽出部５０２に対して送信する。
【０１３３】
複信方式判定切替制御部４０１内の無線状態判別信号抽出部５０２は、ＦＤＤ受信部４０５から送られてきた出力データ信号Ｓ４１１を受信すると、該出力データ信号Ｓ４１１に多重して含まれている無線状態判別信号（相手側の無線装置２の無線処理部４から送信された無線状態判別信号Ｓ１０３）を抽出する。そして、無線状態判別信号抽出部５０２は、抽出した無線状態判別信号を解析し、相手側の無線装置２の無線処理部４から送信された無線状態判別信号Ｓ１０３を正しく受信することができたか否かを確認する（ステップＡ２０１）。
【０１３４】
無線状態判別信号抽出部５０２は、抽出した無線状態判別信号として、相手側の無線装置２の無線処理部４から送信された無線状態判別信号Ｓ１０３を正しく受信していることを確認すると（ステップＡ２０１のＹＥＳ）、その旨を無線状態判別信号解析結果Ｓ５０１に多重して、複信方式判定切替制御部４０１内部にある中央処理制御部５０１に対して送信する。中央処理制御部５０１は、無線状態判別信号抽出部５０２から送られてきた無線状態判別信号解析結果Ｓ５０１を受信すると、該無線状態判別信号解析結果Ｓ５０１が、相手側の無線装置２の無線処理部４から無線伝送周波数帯ｆ１を用いて送信されてきた無線状態判別信号Ｓ１０３を正しく受信している旨を多重して含んでいるので、無線伝送周波数帯ｆ１が、無線回線断状態から回復したものと判断する。
【０１３５】
中央処理制御部５０１は、無線伝送周波数帯ｆ１が無線回線断状態から回復したものと判断すると、中央処理制御部５０１は、まず、使用する複信方式をＴＤＤ方式からＦＤＤ方式に切り替えるための複信方式切替信号を相手側の無線装置２に送信するために、制御ヘッダＳ４０１の生成処理を実行して、無線装置２に対して送信する制御ヘッダＳ４０１に含まれている複信方式情報をＴＤＤ方式からＦＤＤ方式に切り替えた制御ヘッダＳ４０１を生成する。
【０１３６】
しかる後、中央処理制御部５０１は、複信方式切替信号としてＴＤＤ方式からＦＤＤ方式に切り替えた複信方式情報を含む制御ヘッダＳ４０１を制御ヘッダ多重部４１０に対して送信する。制御ヘッダ多重部４１０は、中央処理制御部５０１から送られてきた制御ヘッダＳ４０１を受信すると、該制御ヘッダＳ４０１を、ディジタル信号処理部９から送られてくる出力データ信号Ｓ１０に多重する。制御ヘッダ多重部４１０は、ＴＤＤ方式からＦＤＤ方式に切り替えた複信方式情報を含む制御ヘッダＳ４０１が多重された制御ヘッダ多重データ信号Ｓ４０２をＴＤＤ送信部４０３に対して送信する。
【０１３７】
ＴＤＤ送信部４０３は、制御ヘッダ多重部４１０から送られてきた制御ヘッダ多重データ信号Ｓ４０２を受信すると、無線伝送を行うために必要な前述したような処理を行う。ＴＤＤ送信部４０３は、無線伝送を行うために必要な処理が施された無線処理信号Ｓ４１５をＴＤＤ送受信切替スイッチ４１５に対して送信する。
【０１３８】
ＴＤＤ送受信切替スイッチ４１５は、ＴＤＤ同期制御部４０９からの送受信切替制御信号Ｃ２によってＴＤＤ方式のデータの送受信切替動作が制御されている。ＴＤＤ送受信切替スイッチ４１５は、ＴＤＤ送信部４０３から送られてきた無線処理信号Ｓ４１５を、ＴＤＤ同期制御部４０９からの送受信切替制御信号Ｃ２によって切り替わる送受信タイミングに合わせて、無線処理信号Ｓ４１６として、複信方式切替スイッチ部４０６に対して送信する。
【０１３９】
複信方式切替スイッチ部４０６は、ＴＤＤ送受信切替スイッチ４１５から送られてきた無線処理信号Ｓ４１６を受信すると、デュプレクサ４０７に伝送するために、信号線の切替処理を行う。複信方式切替スイッチ部４０６は、信号線の切替処理を行い、ＴＤＤ送受信切替スイッチ４１５からの無線処理信号Ｓ４１６がサーキュレータ６０４を介して無線処理信号Ｓ６０２として入力されて、周波数帯ｆ２送信複信方式切替スイッチ６０２から出力される周波数帯ｆ２無線処理送信信号Ｓ４０７を、デュプレクサ４０７に対して送信する。
【０１４０】
デュプレクサ４０７は、複信方式切替スイッチ部４０６内の周波数帯ｆ２送信複信方式切替スイッチ６０２を通って送られてきた周波数帯ｆ２無線処理送信信号Ｓ４０７を受信すると、無線伝送周波数帯ｆ２によってフィルタリングをかける。
【０１４１】
しかる後、デュプレクサ４０７は、無線伝送周波数帯ｆ２によってフィルタリングをかけた無線処理信号Ｓ６をアンテナ６に対して送信する。アンテナ６は、デュプレクサ４０７から送られてきた無線処理信号Ｓ６を、無線伝送周波数帯ｆ２を用いたＴＤＤ方式によって無線伝送して、相手側の無線装置２が接続されているアンテナ５に対して送信する（ステップＡ２０２）。
【０１４２】
さらに、対向無線装置７の複信方式判定切替制御部４０１内の中央処理制御部５０１は、無線伝送周波数帯ｆ２を用いたＴＤＤ方式によって無線処理信号Ｓ６を無線伝送して、相手側の無線装置２が接続されているアンテナ５に対して送信した動作が終了すると、当該対向無線装置７の複信方式をＴＤＤ方式からＦＤＤ方式に切り替えるために、スイッチ切替制御信号Ｃ４０２をＴＤＤ方式からＦＤＤ方式に切り替える。中央処理制御部５０１は、ＴＤＤ方式からＦＤＤ方式に切り替えたスイッチ切替制御信号Ｃ４０２を複信方式切替スイッチ部４０６、スイッチ４１２およびスイッチ４１３に対して送信する。
【０１４３】
複信方式切替スイッチ部４０６は、ＦＤＤ方式に切り替えられたスイッチ切替制御信号Ｃ４０２を中央処理制御部５０１から受信すると、複信方式切替スイッチ部４０６の内部にある周波数帯ｆ１送信複信方式切替スイッチ６０１、周波数帯ｆ２送信複信方式切替スイッチ６０２、および、ＴＤＤ受信周波数帯切替スイッチ６０３の各スイッチに対してＦＤＤ方式に切り替えられたスイッチ切替制御信号Ｃ４０２を送信する。周波数帯ｆ２送信複信方式切替スイッチ６０２は、ＦＤＤ方式に切り替えられたスイッチ切替制御信号Ｃ４０２を受信すると、今までサーキュレータ６０４から入力されてくる無線処理信号Ｓ６０２を選択していた状態を切り替えて、ＦＤＤ送信部４０２からの無線処理信号Ｓ４０５を選択して、周波数帯ｆ２無線処理送信信号Ｓ４０７として、デュプレクサ４０７に対して送信する。
【０１４４】
また、スイッチ４１２は、ＦＤＤ方式に切り替えられたスイッチ切替制御信号Ｃ４０２を中央処理制御部５０１から受信すると、今まで複信方式判定切替制御部４０１からの無線状態判別信号Ｓ４０３を選択していた状態を切り替えて、制御ヘッダ多重部４１０からの制御ヘッダ多重データ信号Ｓ４０２を選択して、出力データ信号Ｓ４０４として、ＦＤＤ送信部４０２に対して送信する。
【０１４５】
また、スイッチ４１３は、ＦＤＤ方式に切り替えられたスイッチ切替制御信号Ｃ４０２を中央処理制御部５０１から受信すると、今までＴＤＤ受信部４０４からの出力データ信号Ｓ４１８を選択していた状態を切り替えて、ＦＤＤ受信部４０５からの出力データ信号Ｓ４１１を選択して、出力データ信号Ｓ４１２として制御ヘッダ抽出部４１１に対して送信する。以上の動作を実行することによって、対向無線装置７は、無線通信システムの複信方式をＦＤＤ方式からＴＤＤ方式に切り替える(ステップＡ２０３)。
【０１４６】
次に、対向無線装置７と対向している相手側の無線装置２の動作について説明する。対向無線装置７と対向している相手側の無線装置２が接続されているアンテナ５は、対向無線装置７が接続されたアンテナ６から、無線伝送周波数帯ｆ２を用いて無線伝送されてきた無線処理信号Ｓ６を受信する。アンテナ５は、受信した無線処理信号Ｓ６を、無線処理信号Ｓ３として、デュプレクサ１０７に対して送信する。デュプレクサ１０７は、アンテナ５から送られてきた無線処理信号Ｓ３を受信すると、無線伝送周波数帯ｆ２によってフィルタリングをかける。デュプレクサ１０７は、無線伝送周波数帯ｆ２によってフィルタリングをかけた周波数帯ｆ２無線処理受信信号Ｓ１０９を、複信方式切替スイッチ部１０６に対して送信する。
【０１４７】
ここで、本実施例においては、無線装置２の現在の複信方式がＴＤＤ方式であるので、複信方式切替スイッチ部１０６は、デュプレクサ１０７から送られてきた周波数帯ｆ２無線処理受信信号Ｓ１０９を受信すると、ＴＤＤ送受信切替スイッチ１１５に伝送するために、信号線の切替処理を行う。つまり、複信方式切替スイッチ部１０６は、信号線の切替処理を行い、デュプレクサ１０７から送られてきた周波数帯ｆ２無線処理受信信号Ｓ１０９をＴＤＤ受信周波数帯切替スイッチ３０３およびサーキュレータ３０４を介して無線処理信号Ｓ１１６としてＴＤＤ送受信切替スイッチ１１５に対して送信する。
【０１４８】
ＴＤＤ送受信切替スイッチ１１５は、複信方式切替スイッチ部１０６から送られてきた無線処理信号Ｓ１１６を、ＴＤＤ同期制御部１０９からの送受信切替制御信号Ｃ１によって切り替わる送受信タイミングに合わせて、無線処理信号Ｓ１１７として、ＴＤＤ受信部１０４に対して送信する。ＴＤＤ受信部１０４は、ＴＤＤ送受信切替スイッチ１１５から送られてきた無線処理信号Ｓ１１７を受信すると、前述したような必要な受信処理を行う。ＴＤＤ受信部１０４は、受信処理された出力データ信号Ｓ１１８をスイッチ１１３に対して送信する。
【０１４９】
本実施例においては、無線装置２の現在の複信方式がＴＤＤ方式であるので、スイッチ１１３は、ＴＤＤ受信部１０４からの出力データ信号Ｓ１１８を選択して、出力データ信号Ｓ１１２として、制御ヘッダ抽出部１１１に対して送信する。制御ヘッダ抽出部１１１は、スイッチ１１３から送られてきた出力データ信号Ｓ１１２を受信すると、受信した出力データ信号Ｓ１１２を解析して、該出力データ信号Ｓ１１２に多重して含まれている制御ヘッダ（相手側の対向無線装置７から送信されてきた制御ヘッダ）を抽出する(ステップＡ２０４)。
【０１５０】
さらに、制御ヘッダ抽出部１１１は、抽出した制御ヘッダから同期信号と複信方式情報とを解析する。その結果、複信方式切替信号として、同期信号を検出し、かつ、複信方式がＦＤＤ方式であることを検出すると、相手側の対向無線装置７においては、当該無線装置２側から無線伝送周波数帯ｆ１を用いて無線伝送した信号に関して、無線状態判別信号を正しく検出して、複信方式をＦＤＤ方式に切り替えた旨を送信してきたものと判別する。したがって、制御ヘッダ抽出部１１１は、同期信号を検出した旨を示す同期信号検出結果Ｓ１１３と複信方式がＦＤＤ方式に切り替わった旨を示す複信方式情報Ｓ１１４とを複信方式判定切替制御部１０１内部にある中央処理制御部２０１に対して送信する。
【０１５１】
中央処理制御部２０１は、同期信号を検出した旨を示す同期信号検出結果Ｓ１１３と複信方式がＦＤＤ方式に切り替わった旨を示す複信方式情報Ｓ１１４とを制御ヘッダ抽出部１１１から受信すると、今までの複信方式を切り替えることを指示する複信方式切替信号が、対向無線装置７から送信されてきたものとして認識する（ステップＡ２０５）。つまり、中央処理制御部２０１は、対向無線装置７に向けて無線伝送していた無線伝送周波数帯ｆ１の無線回線断状態が回復して、無線通信が可能の状態になったものと判断する。
【０１５２】
中央処理制御部２０１は、ＦＤＤ方式として送信用に使用していた無線伝送周波数帯ｆ１の無線通信が可能の状態に回復して、ＴＤＤ方式からＦＤＤ方式への複信方式の切り戻しを指示する複信方式切替信号が受信されているものと判断すると（ステップＡ２０５の'ＦＤＤ'の場合）、当該無線装置２の無線通信システムの複信方式を、無線通信が可能な無線伝送周波数帯ｆ２を用いて今までデータ送受信を行っていたＴＤＤ方式から、無線通信が可能な状態に回復した無線伝送周波数帯ｆ１と無線伝送周波数帯ｆ２とを用いたＦＤＤ方式に切り替えるために、スイッチ切替制御信号Ｃ１０２を、ＴＤＤ方式からＦＤＤ方式に切り替えて、複信方式切替スイッチ部１０６、スイッチ１１２およびスイッチ１１３に対して送信する。
【０１５３】
複信方式切替スイッチ部１０６は、ＦＤＤ方式に切り替えられたスイッチ切替制御信号Ｃ１０２を中央処理制御部２０１から受信すると、複信方式切替スイッチ部１０６の内部にある周波数帯ｆ１送信複信方式切替スイッチ３０１、周波数帯ｆ２送信複信方式切替スイッチ３０２、および、ＴＤＤ受信周波数帯切替スイッチ３０３の各スイッチに対してスイッチ切替制御信号Ｃ１０２を送信する。周波数帯ｆ２送信複信方式切替スイッチ３０２は、ＦＤＤ方式に切り替えられたスイッチ切替制御信号Ｃ１０２を受信すると、今までサーキュレータ３０４から入力されてくる無線処理信号Ｓ３０２を選択していた状態を切り替えて、ＦＤＤ送信部１０２からの無線処理信号Ｓ１０５を選択して、周波数帯ｆ２無線処理送信信号Ｓ１０７として、デュプレクサ１０７に対して送信する。
【０１５４】
また、スイッチ１１２は、ＦＤＤ方式に切り替えられたスイッチ切替制御信号Ｃ１０２を中央処理制御部２０１から受信すると、今まで複信方式判定切替制御部１０１からの無線状態判別信号Ｓ１０３を選択していた状態を切り替えて、制御ヘッダ多重部１１０からの制御ヘッダ多重データ信号Ｓ１０２を選択して、出力データ信号Ｓ１０４として、ＦＤＤ送信部１０２に対して送信する。
【０１５５】
また、スイッチ１１３は、ＦＤＤ方式に切り替えられたスイッチ切替制御信号Ｃ１０２を中央処理制御部２０１から受信すると、今までＴＤＤ受信部１０４からの出力データ信号Ｓ１１８を選択していた状態を切り替えて、ＦＤＤ受信部１０５からの出力データ信号Ｓ１１１を選択して、出力データ信号Ｓ１１２として制御ヘッダ抽出部１１１に対して送信する。以上の動作を実行することによって、無線装置２は、無線通信システムの複信方式をＴＤＤ方式からＦＤＤ方式に切り替える(ステップＡ２０６)。
【０１５６】
さらに、無線装置２の複信方式判定切替制御部１０１内の中央処理制御部２０１は、当該無線装置２の無線処理部４の複信方式をＴＤＤ方式からＦＤＤ方式への切り替えが完了すると、使用する複信方式を切り替えたことを示す複信方式切替信号を相手側の対向無線装置７に送信するために、制御ヘッダＳ１０１の生成処理を実行して、対向無線装置７に対して送信するための制御ヘッダＳ１０１に含まれている複信方式情報をＴＤＤ方式からＦＤＤ方式に切り替えた制御ヘッダＳ１０１を生成する。
【０１５７】
しかる後、中央処理制御部２０１は、複信方式情報をＴＤＤ方式からＦＤＤ方式に切り替えた制御ヘッダＳ１０１を制御ヘッダ多重部１１０に対して送信する。制御ヘッダ多重部１１０は、中央処理制御部２０１から送られてきた制御ヘッダＳ１０１を受信すると、ディジタル信号処理部３から送られてくる出力データ信号Ｓ２に多重する。制御ヘッダ多重部１１０は、ＴＤＤ方式からＦＤＤ方式に切り替えた複信方式情報を含む制御ヘッダＳ１０１が多重された制御ヘッダ多重データ信号Ｓ１０２を、今までのＴＤＤ送信部１０３に対してではなく、スイッチ１１２に対して送信する。
【０１５８】
ここで、本実施例においては、無線装置２の複信方式がＴＤＤ方式からＦＤＤ方式に切り替えられているので、スイッチ１１２は、前述したように、今まで複信方式判定切替制御部１０１からの無線状態判別信号Ｓ１０３を選択していた状態を切り替えて、制御ヘッダ多重部１１０からの制御ヘッダ多重データ信号Ｓ１０２を選択して、出力データ信号Ｓ１０４として、ＦＤＤ送信部１０２に対して送信する。
【０１５９】
ＦＤＤ送信部１０２は、制御ヘッダ多重部１１０からスイッチ１１２を通って送られてきた出力データ信号Ｓ１０４を受信すると、無線伝送を行うために必要な前述したような処理を行う。ＦＤＤ送信部１０２は、無線伝送を行うために必要な処理が施された無線処理信号Ｓ１０５を複信方式切替スイッチ部１０６に対して送信する。
【０１６０】
本実施例においては、無線装置２の複信方式はＴＤＤ方式からＦＤＤ方式に切り替わっているので、複信方式切替スイッチ部１０６は、ＦＤＤ送信部１０２から送られてきた無線処理信号Ｓ１０５を選択して、デュプレクサ１０７に伝送するため、信号線の切替処理を行う。つまり、複信方式切替スイッチ部１０６は、信号線の切替処理を行い、ＴＤＤ送受信切替スイッチ１１５からの無線処理信号Ｓ１１６がサーキュレータ３０４を介して無線処理信号Ｓ３０２として入力されて、周波数帯ｆ２送信複信方式切替スイッチ３０２から出力される周波数帯ｆ２無線処理送信信号Ｓ１０７を、デュプレクサ１０７に対して送信する今までの動作を切り替えて、ＦＤＤ送信部１０２からの無線処理信号Ｓ１０５を周波数帯ｆ１送信複信方式切替スイッチ３０１を介して周波数帯ｆ１無線処理送信信号Ｓ１０６としてデュプレクサ１０７に対して送信する。
【０１６１】
デュプレクサ１０７は、複信方式切替スイッチ部１０６内の周波数帯ｆ１送信複信方式切替スイッチ３０１を通って送られてきた周波数帯ｆ１無線処理送信信号Ｓ１０６を受信すると、無線伝送周波数帯ｆ１によってフィルタリングをかける。
【０１６２】
しかる後、デュプレクサ１０７は、無線伝送周波数帯ｆ１によってフィルタリングをかけた無線処理信号Ｓ３をアンテナ５に対して送信する。アンテナ５は、デュプレクサ１０７から送られてきた無線処理信号Ｓ３を、無線伝送周波数帯ｆ１を用いたＦＤＤ方式によって無線伝送して、相手側の対向無線装置７が接続されているアンテナ６に対して送信する（ステップＡ２０７）。
【０１６３】
次に、無線回線断状態からの回復を検出して複信方式をＴＤＤ方式からＦＤＤ方式に切り替えた状態にある対向無線装置７側が、複信方式の切り替えの指示を送信した相手側の無線装置２から無線伝送周波数帯ｆ１を用いたＦＤＤ方式によって無線伝送されてきた無線処理信号Ｓ６を受信した際の対向無線装置７の動作について説明する。無線装置２と対向している相手側の対向無線装置７が接続されているアンテナ６は、無線装置２が接続されたアンテナ５から、無線伝送周波数帯ｆ１を用いて無線伝送されてきた無線処理信号Ｓ３を受信する。アンテナ６は、受信した無線処理信号Ｓ３を、無線処理信号Ｓ６として、デュプレクサ４０７に対して送信する。デュプレクサ４０７は、アンテナ６から送られてきた無線処理信号Ｓ６を受信すると、無線伝送周波数帯ｆ１によってフィルタリングをかける。デュプレクサ４０７は、無線伝送周波数帯ｆ１によってフィルタリングをかけた周波数帯ｆ１無線処理受信信号Ｓ４０８を、ＦＤＤ受信周波数帯選択スイッチ４１４に対して送信する。
【０１６４】
ここで、本実施例においては、対向無線装置７の複信方式がＴＤＤ方式からＦＤＤ方式に切り替わっているので、ＦＤＤ受信周波数帯選択スイッチ４１４は、デュプレクサ４０７から送られてきた周波数帯ｆ１無線処理受信信号Ｓ４０８を選択して、出力信号Ｓ４１０として、ＦＤＤ受信部４０５に対して送信するように動作する。ＦＤＤ受信部４０５は、ＦＤＤ受信周波数帯選択スイッチ４１４から送られてきた出力信号Ｓ４１０を受信すると、前述したような必要な受信処理を行う。ＦＤＤ受信部４０５は、受信処理が施された出力データ信号Ｓ４１１をスイッチ４１３に対して送信する。
【０１６５】
本実施例においては、対向無線装置７の複信方式が既にＦＤＤ方式に切り替わっているので、スイッチ４１３は、ＦＤＤ受信部４０５から入力されてくる出力データ信号Ｓ４１１を選択して、出力データ信号Ｓ４１２として、制御ヘッダ抽出部４１１に対して送信する。制御ヘッダ抽出部４１１は、スイッチ４１３から送られてきた出力データ信号Ｓ４１２を受信すると、受信した出力データ信号Ｓ４１２を解析して、該出力データ信号Ｓ４１２に多重して含まれている制御ヘッダ（相手側の無線装置２から送信されてきた制御ヘッダ）を抽出することができたかチェックする(ステップＡ２０８)。
【０１６６】
制御ヘッダ抽出部４１１は、相手側の無線装置２に対して複信方式の切り替えを指示する制御ヘッダ（複信方式切替信号）を送信した後あらかじめ定めた一定時間経過した後も、制御ヘッダ（相手側の無線装置２から送信されてきた制御ヘッダ）を抽出することができなかった場合は（ステップＡ２０８の'ＴｉｍｅＯｕｔ'の場合）、当該対向無線装置７の複信方式をＦＤＤ方式からＴＤＤ方式に切り替えた後(ステップＡ２１０)、ステップＡ２０２に移行して、再度、複信方式の切り替え（ＴＤＤ方式からＦＤＤ方式への切り替え）を指示する制御ヘッダ（複信方式切替信号）を生成する処理を繰り返し、相手側の無線装置２に対して、該制御ヘッダの再送処理を行う。
【０１６７】
一方、制御ヘッダ抽出部４１１は、スイッチ４１３からの出力データ信号Ｓ４１２に多重して含まれている制御ヘッダ（相手側の無線装置２から送信されてきた制御ヘッダ）を抽出することができた場合には（ステップＡ２０８の'受信'の場合）、抽出した制御ヘッダから同期信号と複信方式情報とを解析する。その結果として、制御ヘッダ抽出部４１１は、同期信号を検出すると、相手側の無線装置２においては、当該対向無線装置７側から無線伝送周波数帯ｆ２を用いて無線伝送した信号に関して、同期信号を検出したということを示す同期信号検出結果Ｓ４１３を生成して、複信方式判定切替制御部４０１内部にある中央処理制御部５０１に対して送信する。さらに、制御ヘッダ抽出部４１１は、複信方式情報を解析して、相手側の無線装置２においても複信方式をＦＤＤ方式に切り替えたということを示す複信方式情報Ｓ４１４を生成して、複信方式判定切替制御部４０１内部にある中央処理制御部５０１に対して送信する。
【０１６８】
中央処理制御部５０１は、同期信号検出結果Ｓ４１３および複信方式情報Ｓ４１４を制御ヘッダ抽出部４１１から受信して、受信した同期信号検出結果Ｓ４１３として相手側の無線装置２側で同期信号が検出され、かつ、受信した複信方式情報Ｓ４１４として相手側の無線装置２側もＦＤＤ方式に切り替えた状態に設定されていた場合には（ステップＡ２０９の'ＦＤＤ'の場合）、対向無線装置７および無線装置２の双方において無線通信システムの複信方式のＦＤＤ方式からＴＤＤ方式への切り替えが完了したものと判断する。
【０１６９】
なお、受信した同期信号検出結果Ｓ４１３として相手側の無線装置２側で同期信号が未検出であるか、または、受信した複信方式情報Ｓ４１４として相手側の無線装置２側がＦＤＤ方式に設定されていなかった場合には（ステップＡ１０９の'ＴＤＤ'の場合）、ステップＡ１０２に移行して、再度、複信方式の切り替え（ＴＤＤ方式からＦＤＤ方式への切り替え）を指示する制御ヘッダ（複信方式切替信号）を生成する処理を繰り返し、相手側の無線装置２に対して、該制御ヘッダの再送処理を行う。
【０１７０】
中央処理制御部５０１は、無線通信システムの複信方式のＴＤＤ方式からＦＤＤ方式への切り替えが完了したものと判断すると、ＦＤＤ方式における無線状態を監視するために、ＦＤＤ方式を示す複信方式情報を含む制御ヘッダＳ４０１を生成して、制御ヘッダ多重部４１０に対して出力するとともに、制御ヘッダ抽出部４１１から入力されてくる同期信号検出結果Ｓ４１３と複信方式情報Ｓ４１４とを監視する通常の状態に復する。また、相手側の無線装置２においても、ステップＡ２０７において、無線処理信号Ｓ３を相手側の対向無線装置７対して送信すると、中央処理制御部２０１は、ＦＤＤ方式における無線状態を監視するために、ＦＤＤ方式を示す複信方式情報を含む制御ヘッダＳ１０１を生成して、制御ヘッダ多重部１１０に対して出力するとともに、制御ヘッダ抽出部１１１から入力されてくる同期信号検出結果Ｓ１１３と複信方式情報Ｓ１１４とを監視する通常の状態に復する。
【０１７１】
以上の手順によって、無線伝送周波数帯ｆ１の無線回線断状態が発生して、ＦＤＤ方式による双方向の無線通信が不可能な状態から、無線伝送周波数帯ｆ１の無線回線断状態が解消して、ＦＤＤ方式による双方向の無線通信が可能な状態に回復した場合には、無線通信システムの複信方式をＴＤＤ方式からＦＤＤ方式への切り戻しを確実に実施することができる。
【０１７２】
なお、以上の説明においては、無線装置２が接続されているアンテナ５から対向無線装置７が接続されているアンテナ６に向かう無線回線の無線伝送周波数帯ｆ１に干渉などによる無線回線断状態が発生した際には、複信方式をＦＤＤ方式から干渉が発生していない無線伝送周波数帯ｆ２を用いたＴＤＤ方式に切り替えることによって、双方向の無線通信を維持することを可能にし、さらに、無線伝送周波数帯ｆ１が干渉などによる無線回線断状態から回復した際には、複信方式をＴＤＤ方式から安定した無線通信が可能なＦＤＤ方式に切り戻す場合について、説明した。しかし、本発明は、かかる場合のみに限るものではない。
【０１７３】
例えば、対向無線装置７が接続されているアンテナ６から無線装置２が接続されているアンテナ５に向かう無線回線の無線伝送周波数帯ｆ２に干渉などによる無線回線断状態が発生し、しかる後、無線回線断状態から回復した場合であっても、前述した無線装置２側と対向無線装置７側との各動作を読み替えるだけで、全く同様の動作を行うことができる。
【０１７４】
また、前述の説明においては、無線回線断状態に陥った場合について説明したが、かかる場合に限るものではなく、例えば、２つの無線伝送周波数帯ｆ１、ｆ２のうち、いずれかの無線伝送周波数帯があらかじめ定めた低下閾値以下の通信品質に低下した場合には、無線回線断状態が発生した場合と同様、複信方式をＦＤＤ方式から通信品質が低下していない無線伝送周波数帯を用いたＴＤＤ方式に切り替え、しかる後、通信品質が低下していた無線伝送周波数帯があらかじめ定めた回復閾値よりも良好な通信品質に回復した場合には、ＴＤＤ方式からＦＤＤ方式に切り戻すようにしても良い。ここで、前記低下閾値と前記回復閾値とは同一の値を設定しても良いし、複信方式の頻繁な切替動作を抑えるために、前記回復閾値の値を、前記低下閾値よりも大きい値（より良好な通信品質となる値）に設定するようにしても良い。
【０１７５】
（本実施形態の効果の説明）
以上に詳細に説明したように、本実施形態においては、以下に記載するような効果が得られる。
【０１７６】
第１の効果は、ＦＤＤ方式の複信方式において使用している２つの無線伝送周波数帯ｆ１、ｆ２のうち、いずれか一方の無線伝送周波数帯例えば無線伝送周波数帯ｆ１に干渉などが発生して通信品質が低下した場合であっても、通信品質が低下していない他方の無線伝送周波数帯例えば無線伝送周波数帯ｆ２を用いたＴＤＤ方式に複信方式を切り替えることによって、双方向の無線通信を維持することができることである。また、通信品質が低下していた一方の無線伝送周波数帯例えば無線伝送周波数帯ｆ１が良好な通信品質の状態に回復した際には、複信方式を、２つの無線伝送周波数帯ｆ１、ｆ２を用いたＦＤＤ方式にＴＤＤ方式から切り戻すことにより、安定した双方向の無線通信を行うことができることである。
【０１７７】
第２の効果は、ＦＤＤ方式の複信方式において使用している２つの無線伝送周波数帯ｆ１、ｆ２のうち、一方の無線伝送周波数帯例えば無線伝送周波数帯ｆ１の通信品質が干渉により低下した場合、通信品質が低下していない他方の無線伝送周波数帯例えば無線伝送周波数帯ｆ２を用いたＴＤＤ方式に複信方式を切り替えることによって、干渉に対する耐性を高めた無線通信システムを実現することができることである。
【０１７８】
なお、図１〜図７に示した本発明の各構成例は、本発明の一例を説明するために示したものであり、本発明はかかる構成に限るものではない。例えば、図１の無線通信システムにおいて、アンテナ５およびアンテナ６を、無線伝送周波数帯ｆ１、ｆ２に共用のアンテナ構成としているが、前述したように、無線伝送周波数帯ｆ１、ｆ２の周波数帯ごとに分離して、それぞれ１本ずつ設置するように構成しても、前述の実施形態と全く同様に効果が得られることは明らかである。また、図２の無線装置２内のデュプレクサ１０７、図５の対向無線装置７内のデュプレクサ４０７についても、前述したように、通過周波数帯域が異なる２つのＢＰＦ（Band  Pass  Filter）によって構成するようにしても、前述の実施形態と全く同様に効果が得られることは明らかである。あるいは、図２の無線装置２内のＧＰＳアンテナ１０８、図５の対向無線装置７内のＧＰＳアンテナ４０８ついても、前述したように、ＩＥＥＥ１５８８規格（高精度時間プロトコル）のような他の同期技術を用いて構成するようにしても、前述の実施形態と全く同様に効果が得られることは明らかである。
【０１７９】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１８０】
１        ネットワーク
２        無線装置
３        ディジタル信号処理部
４        無線処理部
５        アンテナ
６        アンテナ
７        無線装置（対向無線装置）
８        無線処理部
９        ディジタル信号処理部
１０      ネットワーク
１０１    複信方式判定切替制御部
１０２    ＦＤＤ送信部
１０３    ＴＤＤ送信部
１０４    ＴＤＤ受信部
１０５    ＦＤＤ受信部
１０６    複信方式切替スイッチ部
１０７    デュプレクサ
１０８    ＧＰＳアンテナ
１０９    ＴＤＤ同期制御部
１１０    制御ヘッダ多重部
１１１    制御ヘッダ抽出部
１１２    スイッチ
１１３    スイッチ
１１４    ＦＤＤ受信周波数帯選択スイッチ
１１５    ＴＤＤ送受信切替スイッチ
２０１    中央処理制御部
２０２    無線状態判別信号抽出部
３０１    周波数帯ｆ１送信複信方式切替スイッチ
３０２    周波数帯ｆ２送信複信方式切替スイッチ
３０３    ＴＤＤ受信周波数帯切替スイッチ
３０４    サーキュレータ
４０１    複信方式判定切替制御部
４０２    ＦＤＤ送信部
４０３    ＴＤＤ送信部
４０４    ＴＤＤ受信部
４０５    ＦＤＤ受信部
４０６    複信方式切替スイッチ部
４０７    デュプレクサ
４０８    ＧＰＳアンテナ
４０９    ＴＤＤ同期制御部
４１０    制御ヘッダ多重部
４１１    制御ヘッダ抽出部
４１２    スイッチ
４１３    スイッチ
４１４    ＦＤＤ受信周波数帯選択スイッチ
４１５    ＴＤＤ送受信切替スイッチ
５０１    中央処理制御部
５０２    無線状態判別信号抽出部
６０１    周波数帯ｆ１送信複信方式切替スイッチ
６０２    周波数帯ｆ２送信複信方式切替スイッチ
６０３    ＴＤＤ受信周波数帯切替スイッチ
６０４    サーキュレータ
Ｃ１      ＴＸ／ＲＸ切替制御信号（送受信切替制御信号）
Ｃ２      ＴＸ／ＲＸ切替制御信号（送受信切替制御信号）
Ｃ１０１  ＦＤＤ受信周波数帯選択制御信号
Ｃ１０２  スイッチ切替制御信号
Ｃ４０１  ＦＤＤ受信周波数帯選択制御信号
Ｃ４０２  スイッチ切替制御信号
ｆ１      無線伝送周波数帯
ｆ２      無線伝送周波数帯
Ｓ１      伝送データ信号
Ｓ２      出力データ信号
Ｓ３      無線処理信号
Ｓ４      出力データ信号
Ｓ５      伝送データ信号
Ｓ６      無線処理信号
Ｓ７      出力データ信号
Ｓ８      伝送データ信号
Ｓ９      伝送データ信号
Ｓ１０    出力データ信号
Ｓ１０１  制御ヘッダ
Ｓ１０２  制御ヘッダ多重データ信号
Ｓ１０３  無線状態判別信号
Ｓ１０４  出力データ信号
Ｓ１０５  無線処理信号
Ｓ１０６  周波数帯ｆ１無線処理送信信号
Ｓ１０７  周波数帯ｆ２無線処理送信信号
Ｓ１０８  周波数帯ｆ１無線処理受信信号
Ｓ１０９  周波数帯ｆ２無線処理受信信号
Ｓ１１０  出力信号
Ｓ１１１  出力データ信号
Ｓ１１２  出力データ信号
Ｓ１１３  同期信号検出結果
Ｓ１１４  複信方式情報
Ｓ１１５  無線処理信号
Ｓ１１６  無線処理信号
Ｓ１１７  無線処理信号
Ｓ１１８  出力データ信号
Ｓ１１９  時間データ信号
Ｓ２０１  無線状態判別信号解析結果
Ｓ３０１  無線処理信号
Ｓ３０２  無線処理信号
Ｓ４０１  制御ヘッダ
Ｓ４０２  制御ヘッダ多重データ信号
Ｓ４０３  無線状態判別信号
Ｓ４０４  出力データ信号
Ｓ４０５  無線処理信号
Ｓ４０６  周波数帯ｆ１無線処理送信信号
Ｓ４０７  周波数帯ｆ２無線処理送信信号
Ｓ４０８  周波数帯ｆ１無線処理受信信号
Ｓ４０９  周波数帯ｆ２無線処理受信信号
Ｓ４１０  出力信号
Ｓ４１１  出力データ信号
Ｓ４１２  出力データ信号
Ｓ４１３  同期信号検出結果
Ｓ４１４  複信方式情報
Ｓ４１５  無線処理信号
Ｓ４１６  無線処理信号
Ｓ４１７  無線処理信号
Ｓ４１８  出力データ信号
Ｓ４１９  時間データ信号
Ｓ５０１  無線状態判別信号解析結果
Ｓ６０１  無線処理信号
Ｓ６０２  無線処理信号
【図１】
2013162376.tif 000003
【図２】
2013162376.tif 000004
【図３】
2013162376.tif 000005
【図４】
2013162376.tif 000006
【図５】
2013162376.tif 000007
【図６】
2013162376.tif 000008
【図７】
2013162376.tif 000009
【図８】
2013162376.tif 000010
【図９】
2013162376.tif 000011